(57)【特許請求の範囲】
【請求項１】
無線リンク確立方法であって、
前記無線リンク確立方法は、
第１サポートＵＥを決定する段階と、
前記第１サポートＵＥによりサーブされる第１受益ＵＥを決定する段階と、
前記第１サポートＵＥのために前記第１サポートＵＥの合成層情報と、前記第１サポートＵＥの第１合成ベアラ情報とを前記第１受益ＵＥの無線ベアラ情報に従って構成し、前記第１サポートＵＥが、前記第１サポートＵＥの前記第１合成ベアラ情報に従って第１合成ベアラを確立し、前記第１サポートＵＥの前記合成層情報に従って前記第１受益ＵＥへの短距離リンクを確立し、前記第１サポートＵＥが、前記短距離リンク上で前記第１受益ＵＥにより送信されたアップリンクデータを受信して前記第１合成ベアラ上で基地局へ前記アップリンクデータを送信する、または、前記第１合成ベアラ上で前記基地局により送信されたダウンリンクデータを受信して前記短距離リンク上で前記第１受益ＵＥへ前記ダウンリンクデータを送信するようになる段階と、
前記第１受益ＵＥのために前記第１受益ＵＥの合成層情報を前記第１受益ＵＥの前記無線ベアラ情報に従って構成し、その結果として前記第１受益ＵＥが、前記第１受益ＵＥの前記合成層情報に従って前記第１サポートＵＥへの短距離リンクを確立し、前記第１受益ＵＥが、前記短距離リンク上で前記第１サポートＵＥへ前記アップリンクデータを送信する、または、前記短距離リンク上で前記第１サポートＵＥにより送信されたダウンリンクデータを受信するようになる段階と、
前記基地局の合成層情報を前記第１受益ＵＥの前記無線ベアラ情報に従って構成する段階と
を備える、無線リンク確立方法。
【請求項２】
前記第１サポートＵＥの前記合成層情報は、ベアラ識別子と前記第１合成ベアラとの間のマッピング関係である、前記第１サポートＵＥのために前記基地局により構成された前記マッピング関係を含み、
前記第１受益ＵＥの前記合成層情報は、前記ベアラ識別子と前記第１受益ＵＥの無線ベアラとの間のマッピング関係である、前記第１受益ＵＥのために前記基地局により構成された前記マッピング関係を含み、
前記基地局の合成層情報は、前記ベアラ識別子により識別される前記第１合成ベアラと前記無線ベアラとの間のマッピング関係を含む、請求項１に記載の無線リンク確立方法。
【請求項３】
前記第１サポートＵＥによりサーブされる第１受益ＵＥを決定する前記段階の前に、前記無線リンク確立方法はさらに、
第１ＵＥにより送信された無線リソース制御ＲＲＣ確立要求メッセージである、少なくとも１つのサポート識別子を伝達する前記ＲＲＣ確立要求メッセージを受信する段階と、
前記第１サポートＵＥによりサーブされる第１受益ＵＥを決定する前記段階は、前記少なくとも１つのサポート識別子が前記第１サポートＵＥのサポート識別子を含む場合、前記第１ＵＥが前記第１サポートＵＥによりサーブされる前記第１受益ＵＥであると決定する段階を有する、請求項１または２に記載の無線リンク確立方法。
【請求項４】
前記無線リンク確立方法はさらに、
前記第１サポートＵＥにより送信されたアップリンクデータである、第１ベアラ識別子を伝達する前記アップリンクデータを受信する段階と、
前記アップリンクデータで伝達される前記第１ベアラ識別子と前記基地局の合成層情報とに従って、前記アップリンクデータを送信する前記第１受益ＵＥの無線ベアラである、前記第１ベアラ識別子に対応する前記無線ベアラを決定する段階と
を備える、請求項１から３のいずれか一項に記載の無線リンク確立方法。
【請求項５】
前記無線リンク確立方法はさらに、前記第１サポートＵＥが変更される必要があると決定された場合、前記第１サポートＵＥを変更する手順を開始する段階を備える、請求項１から４のいずれか一項に記載の無線リンク確立方法。
【請求項６】
前記第１サポートＵＥが変更される必要があると決定することは、
前記第１サポートＵＥのマクロネットワークリンクである、前記第１サポートＵＥと前記基地局との間の通信リンクである前記マクロネットワークリンクを検出し、前記マクロネットワークリンクの品質指標が第１事前設定値より低いと検出された場合に前記第１サポートＵＥを変更することを決定すること、または、
前記第１受益ＵＥにより送信された短距離リンク品質報告を受信し、前記短距離リンクの品質指標が第２事前設定値より低いと前記短距離リンク品質報告が記録している場合に前記第１サポートＵＥを変更することを決定すること、または、
前記第１サポートＵＥにより送信された短距離リンク品質報告を受信し、前記短距離リンクの品質指標が第３事前設定値より低いと前記短距離リンク品質報告が記録している場合、前記第１サポートＵＥを変更することを決定すること
を含む、請求項５に記載の無線リンク確立方法。
【請求項７】
前記第１サポートＵＥを変更する手順を開始する前記段階は、
第２サポートＵＥを決定する段階と、
前記第２サポートＵＥによりサーブされる第２受益ＵＥである、前記第１サポートＵＥと前記第１受益ＵＥとのうち少なくとも１つを含む前記第２受益ＵＥを決定する段階と、
前記第２サポートＵＥのために前記第２サポートＵＥの合成層情報と、前記第２サポートＵＥの第２合成ベアラ情報とを前記第２受益ＵＥの無線ベアラ情報に従って構成し、その結果として前記第２サポートＵＥが、前記第２サポートＵＥの前記第２合成ベアラ情報に従って第２合成ベアラを確立し、前記第２サポートＵＥの前記合成層情報に従って前記第２受益ＵＥへの短距離リンクを確立する段階と、
前記第２受益ＵＥの前記無線ベアラ情報に従って、前記基地局の合成層情報を更新する段階と、
前記第２受益ＵＥが前記第１受益ＵＥを含む場合、前記第１受益ＵＥのために前記第１受益ＵＥの短距離リンク調整情報を前記第２受益ＵＥの前記無線ベアラ情報に従って構成し、その結果として前記第１受益ＵＥが、前記第１受益ＵＥの前記短距離リンク調整情報に従って前記短距離リンクのサポートＵＥが前記第２サポートＵＥとなるよう調整する段階と、
前記第２受益ＵＥが前記第１サポートＵＥを含む場合、前記第１サポートＵＥのために前記第１サポートＵＥの合成層再構成情報を前記第２受益ＵＥの前記無線ベアラ情報に従って構成し、その結果として前記第１サポートＵＥが、前記第１合成ベアラを削除し、前記第１サポートＵＥの前記合成層再構成情報に従って前記第２サポートＵＥへの短距離リンクを確立する段階と
を有する、請求項５または６に記載の無線リンク確立方法。
【請求項８】
無線リンク確立方法であって、
前記無線リンク確立方法は、基地局により送信された第１サポートＵＥの合成層情報と前記第１サポートＵＥの第１合成ベアラ情報とを受信する段階を備え、
前記第１サポートＵＥの前記合成層情報は、ベアラ識別子と第１合成ベアラとの間のマッピング関係である、前記第１サポートＵＥのために前記基地局により構成された前記マッピング関係を含み、
前記無線リンク確立方法はさらに、前記第１サポートＵＥの前記合成層情報に従って第１受益ＵＥへの短距離リンクを確立し、前記第１サポートＵＥの前記第１合成ベアラ情報に従って第１合成ベアラを確立する段階を備える、無線リンク確立方法。
【請求項９】
前記無線リンク確立方法はさらに、
前記短距離リンク上で前記第１受益ＵＥにより送信されたアップリンクデータである、第１ベアラ識別子を伝達する前記アップリンクデータを受信する段階と、
前記第１ベアラ識別子と前記第１サポートＵＥの前記合成層情報とに従って前記第１ベアラ識別子に対応する第１合成ベアラを決定する段階と、
前記第１ベアラ識別子に対応する前記第１合成ベアラ上で前記基地局へ前記アップリンクデータを送信する段階と
を備える、請求項８に記載の無線リンク確立方法。
【請求項１０】
前記無線リンク確立方法はさらに、
前記基地局により送信されたダウンリンクデータである、第２ベアラ識別子を伝達する前記ダウンリンクデータを受信する段階と、
前記第２ベアラ識別子と前記第１サポートＵＥの前記合成層情報とに従って前記第２ベアラ識別子に対応する第１合成ベアラを決定する段階と、
前記第２ベアラ識別子に対応する前記第１合成ベアラ、および前記第２ベアラ識別子に対応する前記第１合成ベアラに対応する短距離リンク上で、対応する第１受益ＵＥへ前記ダウンリンクデータを送信する段階と
を備える、請求項８または９に記載の無線リンク確立方法。
【請求項１１】
前記短距離リンクを検出する段階と、
前記短距離リンクの品質指標が第３事前設定値より低いと検出された場合、短距離リンク品質報告を前記基地局へ送信する段階と
をさらに備える、請求項８から１０のいずれか一項に記載の無線リンク確立方法。
【請求項１２】
前記無線リンク確立方法はさらに、
前記基地局により送信された前記第１サポートＵＥの合成層再構成情報を受信する段階と、
前記第１合成ベアラを削除する段階と、
前記第１サポートＵＥの前記合成層再構成情報に従って、第２サポートＵＥへの短距離リンクを確立する段階と
を備える、請求項８から１１のいずれか一項に記載の無線リンク確立方法。
【請求項１３】
基地局であって、
前記基地局は、第１サポートＵＥを決定する決定ユニットを備え、
前記決定ユニットはさらに、前記第１サポートＵＥによりサーブされる第１受益ＵＥを決定し、
前記基地局はさらに構成ユニットを備え、
前記構成ユニットは、前記第１サポートＵＥのために前記第１サポートＵＥの合成層情報と、前記第１サポートＵＥの第１合成ベアラ情報とを前記第１受益ＵＥの無線ベアラ情報に従って構成し、その結果として前記第１サポートＵＥが、前記第１サポートＵＥの前記第１合成ベアラ情報に従って第１合成ベアラを確立し、前記第１サポートＵＥの前記合成層情報に従って前記第１受益ＵＥへの短距離リンクを確立し、前記第１サポートＵＥが、前記短距離リンク上で前記第１受益ＵＥにより送信されたアップリンクデータを受信して前記第１合成ベアラ上で基地局へ前記アップリンクデータを送信する、または、前記第１合成ベアラ上で前記基地局により送信されたダウンリンクデータを受信して前記短距離リンク上で前記第１受益ＵＥへ前記ダウンリンクデータを送信するようになり、
前記構成ユニットはさらに、
前記第１受益ＵＥのために前記第１受益ＵＥの合成層情報を前記第１受益ＵＥの前記無線ベアラ情報に従って構成し、その結果として前記第１受益ＵＥが、前記第１受益ＵＥの前記合成層情報に従って前記第１サポートＵＥへの短距離リンクを確立し、前記第１受益ＵＥが、前記短距離リンク上で前記第１サポートＵＥへ前記アップリンクデータを送信する、または、前記短距離リンク上で前記第１サポートＵＥにより送信されたダウンリンクデータを受信するようになり、
前記構成ユニットはさらに、前記基地局の合成層情報を前記第１受益ＵＥの前記無線ベアラ情報に従って構成する、基地局。
【請求項１４】
前記第１サポートＵＥの前記合成層情報は、ベアラ識別子と前記第１合成ベアラとの間のマッピング関係である、前記第１サポートＵＥのために前記基地局により構成された前記マッピング関係を含み、
前記第１受益ＵＥの前記合成層情報は、前記ベアラ識別子と前記第１受益ＵＥの無線ベアラとの間のマッピング関係である、前記第１受益ＵＥのために前記基地局により構成された前記マッピング関係を含み、
前記基地局の合成層情報は、前記ベアラ識別子により識別される前記第１合成ベアラと前記無線ベアラとの間のマッピング関係を含む、請求項１３に記載の基地局。
【請求項１５】
第１ＵＥにより送信された無線リソース制御プロトコル接続ＲＲＣ確立要求メッセージである、少なくとも１つのサポート識別子を伝達する前記ＲＲＣ確立要求メッセージを受信する送受信ユニットをさらに備え、
前記決定ユニットは具体的には、前記少なくとも１つのサポート識別子が前記第１サポートＵＥのサポート識別子を含む場合、前記第１ＵＥが前記第１サポートＵＥによりサーブされる前記第１受益ＵＥであると決定する、請求項１３または１４に記載の基地局。
【請求項１６】
前記送受信ユニットはさらに、前記第１サポートＵＥにより送信されたアップリンクデータである、第１ベアラ識別子を伝達する前記アップリンクデータを受信し、
前記決定ユニットは具体的には、前記アップリンクデータに含まれる前記第１ベアラ識別子と前記基地局の合成層情報とに従って、前記アップリンクデータを送信する前記第１受益ＵＥの無線ベアラである、前記第１ベアラ識別子に対応する前記無線ベアラを決定する、請求項１５に記載の基地局。
【請求項１７】
前記送受信ユニットはさらに、第２ベアラ識別子を伝達するダウンリンクデータを前記第１サポートＵＥへ送信し、その結果として前記第１サポートＵＥが、前記第２ベアラ識別子に従って前記第２ベアラ識別子に対応する第１合成ベアラを決定し、前記第２ベアラ識別子に対応する前記第１合成ベアラを用いて前記ダウンリンクデータを受信し、前記第１サポートＵＥが、前記第２ベアラ識別子に対応する前記第１合成ベアラに対応する短距離リンク上で、対応する第１受益ＵＥへ前記ダウンリンクデータを送信するようになる、請求項１５または１６に記載の基地局。
【請求項１８】
前記第１受益ＵＥへタイムアライメントＴＡ情報を事前設定された時間内に送信せず、前記第１受益ＵＥが非同期接続状態へと変化するようになるプロセッシングユニットをさらに備える、請求項１３から１７のいずれか一項に記載の基地局。
【請求項１９】
前記プロセッシングユニットはさらに、前記第１サポートＵＥが変更される必要があると決定された場合、前記第１サポートＵＥを変更する手順を開始する、請求項１８に記載の基地局。
【請求項２０】
前記プロセッシングユニットは具体的には、
前記第１サポートＵＥのマクロネットワークリンクである、前記第１サポートＵＥと前記基地局との間の通信リンクである前記マクロネットワークリンクを検出し、前記マクロネットワークリンクの品質指標が第１事前設定値より低いと検出された場合に前記第１サポートＵＥを変更することを決定する、または、
前記第１受益ＵＥにより送信された短距離リンク品質報告を受信し、前記短距離リンクの品質指標が第２事前設定値より低いと前記短距離リンク品質報告が記録している場合に前記第１サポートＵＥを変更することを決定する、または、
前記第１サポートＵＥにより送信された短距離リンク品質報告を受信し、前記短距離リンクの品質指標が第３事前設定値より低いと前記短距離リンク品質報告が記録している場合、前記第１サポートＵＥを変更することを決定する、請求項１９に記載の基地局。
【請求項２１】
前記プロセッシングユニットは具体的には、前記決定ユニットによる第２サポートＵＥの決定をトリガし、
前記決定ユニットはさらに、前記第２サポートＵＥを決定し、
前記決定ユニットはさらに、前記第２サポートＵＥによりサーブされる第２受益ＵＥである、前記第１サポートＵＥと前記第１受益ＵＥとのうち少なくとも１つを含む前記第２受益ＵＥを決定し、
前記構成ユニットはさらに、前記第２サポートＵＥのために前記第２サポートＵＥの合成層情報と、前記第２サポートＵＥの第２合成ベアラ情報とを前記第２受益ＵＥの無線ベアラ情報に従って構成し、その結果として前記第２サポートＵＥが、前記第２サポートＵＥの前記第２合成ベアラ情報に従って第２合成ベアラを確立し、前記第２サポートＵＥの前記合成層情報に従って前記第２受益ＵＥへの短距離リンクを確立するようにし、
前記構成ユニットはさらに、前記第２受益ＵＥの前記無線ベアラ情報に従って、前記基地局の合成層情報を更新し、
前記構成ユニットはさらに、前記第２受益ＵＥが前記第１受益ＵＥを含む場合、前記第１受益ＵＥのために前記第１受益ＵＥの短距離リンク調整情報を前記第２受益ＵＥの前記無線ベアラ情報に従って構成し、その結果として前記第１受益ＵＥが、前記第１受益ＵＥの前記短距離リンク調整情報に従って、前記短距離リンクのサポートＵＥが前記第２サポートＵＥとなるよう調整するようにし、
前記構成ユニットはさらに、前記第２受益ＵＥが前記第１サポートＵＥを含む場合、前記第１サポートＵＥのために前記第１サポートＵＥの合成層再構成情報を前記第２受益ＵＥの前記無線ベアラ情報に従って構成し、その結果として前記第１サポートＵＥが、前記第１合成ベアラを削除し、前記第１サポートＵＥの前記合成層再構成情報に従って前記第２サポートＵＥへの短距離リンクを確立する、請求項１９または２０に記載の基地局。
【請求項２２】
サポートＵＥであって、
前記サポートＵＥは、基地局により送信された第１サポートＵＥの合成層情報と前記第１サポートＵＥの第１合成ベアラ情報とを受信する送受信ユニットを備え、
前記第１サポートＵＥの前記合成層情報は、ベアラ識別子と第１合成ベアラとの間のマッピング関係である、前記第１サポートＵＥのために前記基地局により構成された前記マッピング関係を含み、
前記サポートＵＥはさらに、前記第１サポートＵＥの前記合成層情報に従って第１受益ＵＥへの短距離リンクを確立し、前記第１サポートＵＥの前記第１合成ベアラ情報に従って第１合成ベアラを確立するプロセッシングユニットを備える、サポートＵＥ。
【請求項２３】
前記送受信ユニットはさらに、前記短距離リンク上で前記第１受益ＵＥにより送信されたアップリンクデータである、第１ベアラ識別子を伝達する前記アップリンクデータを受信し、
前記プロセッシングユニットはさらに、前記第１ベアラ識別子と前記第１サポートＵＥの前記合成層情報とに従って前記第１ベアラ識別子に対応する第１合成ベアラを決定し、
前記送受信ユニットはさらに、前記第１ベアラ識別子に対応する前記第１合成ベアラ上で前記基地局へ前記アップリンクデータを送信する、請求項２２に記載のサポートＵＥ。
【請求項２４】
前記送受信ユニットはさらに、前記基地局により送信されたダウンリンクデータである、第２ベアラ識別子を伝達する前記ダウンリンクデータを受信し、
前記プロセッシングユニットはさらに、前記第２ベアラ識別子と前記第１サポートＵＥの前記合成層情報とに従って前記第２ベアラ識別子に対応する第１合成ベアラを決定し、
前記送受信ユニットはさらに、前記第２ベアラ識別子に対応する前記第１合成ベアラ、および前記第２ベアラ識別子に対応する前記第１合成ベアラに対応する短距離リンク上で、対応する第１受益ＵＥへ前記ダウンリンクデータを送信する、請求項２２または２３に記載のサポートＵＥ。
【請求項２５】
前記プロセッシングユニットはさらに、前記短距離リンクを検出し、
前記送受信ユニットはさらに、前記短距離リンクの品質指標が第３事前設定値より低いと検出された場合、短距離リンク品質報告を前記基地局へ送信する、請求項２２から２４のいずれか一項に記載のサポートＵＥ。
【請求項２６】
前記送受信ユニットはさらに、前記基地局により送信された前記第１サポートＵＥの合成層再構成情報を受信し、
前記プロセッシングユニットはさらに、前記第１合成ベアラを削除し、
前記プロセッシングユニットはさらに、前記第１サポートＵＥの前記合成層再構成情報に従って、第２サポートＵＥへの短距離リンクを確立する、請求項２２から２５のいずれか一項に記載のサポートＵＥ。
【請求項２７】
受益ＵＥであって、
前記受益ＵＥは、基地局により送信された第１受益ＵＥの合成層情報を受信する送受信ユニットを備え、
前記第１受益ＵＥの前記合成層情報は、ベアラ識別子と前記第１受益ＵＥの無線ベアラとの間のマッピング関係である、前記第１受益ＵＥのために前記基地局により構成された前記マッピング関係を含み、
前記受益ＵＥはさらに、前記第１受益ＵＥの前記合成層情報に従って第１サポートＵＥへの短距離リンクを確立するプロセッシングユニットを備える、受益ＵＥ。
【請求項２８】
前記プロセッシングユニットはさらに、少なくとも１つのサポート識別子を取得し、
前記送受信ユニットはさらに、前記サポートＵＥの少なくとも１つのサポート識別子を伝達する無線リソース制御プロトコル接続ＲＲＣ確立要求メッセージを前記基地局へ送信する、請求項２７に記載の受益ＵＥ。
【請求項２９】
前記プロセッシングユニットはさらに、前記第１受益ＵＥの前記合成層情報に従って、アップリンクデータを送信する必要がある無線ベアラに対応する第１ベアラ識別子を決定し、
前記プロセッシングユニットはさらに、前記第１ベアラ識別子を前記アップリンクデータへ追加し、
前記送受信ユニットはさらに、前記無線ベアラおよび前記無線ベアラに対応する前記短距離リンク上で、前記アップリンクデータを前記第１サポートＵＥへ送信する、請求項２７または２８に記載の受益ＵＥ。
【請求項３０】
前記プロセッシングユニットはさらに、前記短距離リンク上で前記第１サポートＵＥにより送信されたダウンリンクデータである、第２ベアラ識別子を伝達する前記ダウンリンクデータを受信し、
前記プロセッシングユニットはさらに、前記第２ベアラ識別子と前記第１受益ＵＥの前記合成層情報とに従って前記第２ベアラ識別子に対応する無線ベアラを決定し、
前記送受信ユニットはさらに、前記第２ベアラ識別子に対応する前記無線ベアラ上で前記ダウンリンクデータを受信する、請求項２７から２９のいずれか一項に記載の受益ＵＥ。
【請求項３１】
前記プロセッシングユニットはさらに、前記短距離リンクを検出し、
前記プロセッシングユニットはさらに、前記短距離リンクの品質指標が第２事前設定値より低いと検出された場合、非同期接続状態から同期接続状態へと変化させ、
前記送受信ユニットはさらに、短距離リンク品質報告を前記基地局へ送信する、請求項２７から３０のいずれか一項に記載の受益ＵＥ。
【請求項３２】
前記送受信ユニットはさらに、前記基地局により送信された前記第１受益ＵＥの短距離リンク調整情報を受信し、
前記プロセッシングユニットはさらに、前記第１受益ＵＥの前記短距離リンク調整情報に従って、前記短距離リンクのサポートＵＥが前記第１サポートＵＥから第２サポートＵＥとなるよう調整する、請求項２７から３１のいずれか一項に記載の受益ＵＥ。
【発明の詳細な説明】
【技術分野】
【０００１】
本願発明は、通信分野に関し、特に、無線リンク確立方法、装置、およびシステムに関する。
【背景技術】
【０００２】
より多くの端末が、ネットワーク側デバイスと少量のデータを交換する必要がある。例えば、スマートフォンがＱＱアプリケーションなど特定のアプリケーションを実行するとき、スマートフォンは、ネットワーク側デバイスと少量のデータを交換する必要がある。そのようなアプリケーションのために、通信システムは、１つずつの方式で対応する処理を実行し得る。そのような方式においては、全ての端末が、少量のデータの交換の機会毎に、完全なるシグナリング手順を実行すること、およびスケジューリングを通じてデータを送信することが要求される。スマートフォンに関する限り、ＵＥ（Ｕｓｅｒ  Ｅｑｕｉｐｍｅｎｔ。ユーザ機器）は、アイドル状態と接続状態との間で間断なく切り替えられ得る。
【０００３】
非連続的な少量のデータを送信する必要のある端末にとって、以下のいくつかの処理方式が適用可能である。第１方式においては、データ送信の完了後に、端末が接続状態からアイドル状態へと変化する。何らかのデータが送信される必要がある場合、端末は、アイドル状態から接続状態へと戻るよう変化する。第２方式においては、端末が常に接続状態を維持する。
【０００４】
第１方式に関して、端末は、データ送信の機会毎にアイドル状態から接続状態へと変化しなければならない。そのような方式はシグナリングを過度に用い、端末の送信効率を低減させる。第２方式に関して、常に端末の接続状態を維持するため、ＣＱＩ（ｃｈａｎｎｅｌ  ｑｕａｌｉｔｙ  ｉｎｄｉｃａｔｉｏｎ。チャネル品質インジケーション）など多量の物理層リソースが用いられる必要がある。
【発明の概要】
【０００５】
本願発明の複数の実施形態は、無線リンクのオーバーヘッドを節約するのに用いられる無線リンク確立方法、装置、およびシステムを提供する。
【０００６】
そのような目的を達成すべく、本願発明の複数の実施形態は、以下の複数の技術的解決法を採用する。
【０００７】
第１態様によると、本願発明の実施形態は、
第１サポートＵＥを決定する段階と、
第１サポートＵＥによりサーブされる第１受益ＵＥを決定する段階と、
第１サポートＵＥのために第１サポートＵＥの合成層情報と、第１サポートＵＥの第１合成ベアラ情報とを第１受益ＵＥの無線ベアラ情報に従って構成し、その結果として第１サポートＵＥが、第１サポートＵＥの第１合成ベアラ情報に従って第１合成ベアラを確立し、第１サポートＵＥの合成層情報に従って第１受益ＵＥへの短距離リンクを確立し、第１サポートＵＥが、短距離リンク上で第１受益ＵＥにより送信されたアップリンクデータを受信して第１合成ベアラ上で基地局へアップリンクデータを送信する、または、第１合成ベアラ上で基地局により送信されたダウンリンクデータを受信して短距離リンク上で第１受益ＵＥへダウンリンクデータを送信するようになる段階と、
第１受益ＵＥのために第１受益ＵＥの合成層情報を第１受益ＵＥの無線ベアラ情報に従って構成し、その結果として第１受益ＵＥが、第１受益ＵＥの合成層情報に従って第１サポートＵＥへの短距離リンクを確立し、第１受益ＵＥが、短距離リンク上で第１サポートＵＥへアップリンクデータを送信する、または、短距離リンク上で第１サポートＵＥにより送信されたダウンリンクデータを受信するようになる段階と、
基地局の合成層情報を第１受益ＵＥの無線ベアラ情報に従って構成する段階と
を備える、無線リンク確立方法を提供する。
【０００８】
第２態様によると、本願発明の実施形態は、
無線リンク確立方法であって、
無線リンク確立方法は、基地局により送信された第１サポートＵＥの合成層情報と第１サポートＵＥの第１合成ベアラ情報とを受信する段階を備え、
第１サポートＵＥの合成層情報は、ベアラ識別子と第１合成ベアラとの間のマッピング関係である、第１サポートＵＥのために基地局により構成されたマッピング関係を含み、
無線リンク確立方法はさらに、第１サポートＵＥの合成層情報に従って第１受益ＵＥへの短距離リンクを確立し、第１サポートＵＥの第１合成ベアラ情報に従って第１合成ベアラを確立する段階を備える、無線リンク確立方法を提供する。
【０００９】
第３態様によると、本願発明の実施形態は、
無線リンク確立方法であって、
無線リンク確立方法は、基地局により送信された第１受益ＵＥの合成層情報を受信する段階を備え、
第１受益ＵＥの合成層情報は、ベアラ識別子と第１受益ＵＥの無線ベアラとの間のマッピング関係である、第１受益ＵＥのために基地局により構成されたマッピング関係を含み、
無線リンク確立方法はさらに、第１受益ＵＥの合成層情報に従って第１サポートＵＥへの短距離リンクを確立する段階を備える、無線リンク確立方法を提供する。
【００１０】
第４態様によると、本願発明の実施形態は、
基地局であって、
基地局は、第１サポートＵＥを決定するよう適合させられた決定ユニットを備え、
決定ユニットはさらに、第１サポートＵＥによりサーブされる第１受益ＵＥを決定するよう適合させられ、
基地局はさらに構成ユニットを備え、
構成ユニットは、第１サポートＵＥのために第１サポートＵＥの合成層情報と、第１サポートＵＥの第１合成ベアラ情報とを第１受益ＵＥの無線ベアラ情報に従って構成し、その結果として第１サポートＵＥが、第１サポートＵＥの第１合成ベアラ情報に従って第１合成ベアラを確立し、第１サポートＵＥの合成層情報に従って第１受益ＵＥへの短距離リンクを確立し、第１サポートＵＥが、短距離リンク上で第１受益ＵＥにより送信されたアップリンクデータを受信して第１合成ベアラ上で基地局へアップリンクデータを送信する、または、第１合成ベアラ上で基地局により送信されたダウンリンクデータを受信して短距離リンク上で第１受益ＵＥへダウンリンクデータを送信するよう適合させられ、
構成ユニットはさらに、第１受益ＵＥのために第１受益ＵＥの合成層情報を第１受益ＵＥの無線ベアラ情報に従って構成し、その結果として第１受益ＵＥが、第１受益ＵＥの合成層情報に従って第１サポートＵＥへの短距離リンクを確立し、第１受益ＵＥが、短距離リンク上で第１サポートＵＥへアップリンクデータを送信する、または、短距離リンク上で第１サポートＵＥにより送信されたダウンリンクデータを受信するよう適合させられ、
構成ユニットはさらに、基地局の合成層情報を第１受益ＵＥの無線ベアラ情報に従って構成するよう適合させられている、基地局を提供する。
【００１１】
第５態様によると、本願発明の実施形態は、
サポートＵＥであって、
サポートＵＥは、基地局により送信された第１サポートＵＥの合成層情報と第１サポートＵＥの第１合成ベアラ情報とを受信するよう適合させられた送受信ユニットを備え、
第１サポートＵＥの合成層情報は、ベアラ識別子と第１合成ベアラとの間のマッピング関係である、第１サポートＵＥのために基地局により構成されたマッピング関係を含み、
サポートＵＥはさらに、第１サポートＵＥの合成層情報に従って第１受益ＵＥへの短距離リンクを確立し、第１サポートＵＥの第１合成ベアラ情報に従って第１合成ベアラを確立するよう適合させられたプロセッシングユニットを備える、サポートＵＥを提供する。
【００１２】
第６態様によると、本願発明の実施形態は、
受益ＵＥであって、
受益ＵＥは、基地局により送信された第１受益ＵＥの合成層情報を受信するよう適合させられた送受信ユニットを備え、
第１受益ＵＥの合成層情報は、ベアラ識別子と第１受益ＵＥの無線ベアラとの間のマッピング関係である、第１受益ＵＥのために基地局により構成されたマッピング関係を含み、
受益ＵＥはさらに、第１受益ＵＥの合成層情報に従って第１サポートＵＥへの短距離リンクを確立するよう適合させられたプロセッシングユニットを備える、受益ＵＥを提供する。
【００１３】
第７態様によると、本願発明の実施形態は、
基地局と、
受益ＵＥと、
サポートＵＥと
を備え、
基地局は、上述の基地局であり、
受益ＵＥは、上述の受益ＵＥであり、
サポートＵＥは、上述のサポートＵＥである、無線リンク確立システムを提供する。
【００１４】
本願発明の複数の実施形態で提供される無線リンク確立方法、装置、およびシステムにおいて、基地局は、第１サポートＵＥを決定し、第１サポートＵＥの第１受益ＵＥを決定し、そして、第１受益ＵＥの無線ベアラに従って、第１サポートＵＥの合成層情報と第１サポートＵＥの第１合成ベアラ情報とを構成し、第１受益ＵＥのために第１受益ＵＥの合成層情報を構成する。このように、第１サポートＵＥは、第１サポートＵＥの第１合成ベアラ情報に従って第１合成ベアラを確立し得る。第１サポートＵＥは第１サポートＵＥの合成層情報に従って、第１受益ＵＥは第１受益ＵＥの合成層情報に従って、第１サポートＵＥと第１受益ＵＥとの間の短距離リンクを確立する。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。
【図面の簡単な説明】
【００１５】
本願発明の複数の実施形態、または、従来技術の複数の技術的解決法をより明確に説明するべく、以下において簡単に、複数の実施形態または従来技術を説明するために必要である添付の複数の図面を紹介する。明らかに、以下の説明において添付の複数の図面は単に本願発明のいくつかの実施形態を示し、当業者はさらに、創造努力を用いることなくこれらの添付の複数の図面から他の複数の図面を導き出し得る。
【００１６】
【図１】本願発明の実施形態に係る無線リンク確立方法の概略図である。
【００１７】
【図２】本願発明の実施形態に係る他の無線リンク確立方法の概略図である。
【００１８】
【図３】本願発明の実施形態に係る他の無線リンク確立方法の概略図である。
【００１９】
【図４】本願発明の実施形態に係る他の無線リンク確立方法の概略図である。
【００２０】
【図５】本願発明の実施形態に係る他の無線リンク確立方法の概略図である。
【００２１】
【図６】本願発明の実施形態に係る他の無線リンク確立方法の概略図である。
【００２２】
【図７】本願発明の実施形態に係る他の無線リンク確立方法の概略図である。
【００２３】
【図８】本願発明の実施形態に係る基地局の概略構造図である。
【００２４】
【図９】本願発明の実施形態に係る他の基地局の概略構造図である。
【００２５】
【図１０】本願発明の実施形態に係る他の基地局の概略構造図である。
【００２６】
【図１１】本願発明の実施形態に係るサポートＵＥの概略構造図である。
【００２７】
【図１２】本願発明の実施形態に係る受益ＵＥの概略構造図である。
【００２８】
【図１３】本願発明の実施形態に係る無線リンク確立システムの概略図である。
【発明を実施するための形態】
【００２９】
以下において、本願発明の複数の実施形態における添付の複数の図面を参照し、本願発明の複数の実施形態における複数の技術的解決法を明確に、かつ完全に説明する。明らかに、説明される複数の実施形態は、本願発明の複数の実施形態のうち全てではなく単に一部である。本願発明の複数の実施形態に基づいて、当業者によって創造努力を用いずとも得られる他の複数の全ての実施形態は、本願発明の権利保護範囲に含まれる。
【００３０】
本願発明の実施形態は、無線リンク確立方法を提供する。図１に示されるように、方法は以下の複数の段階を含む。
【００３１】
１０１。基地局が、第１サポートＵＥ（Ｕｓｅｒ  Ｅｑｕｉｐｍｅｎｔ。ユーザ機器）を決定する。
【００３２】
具体的には、基地局は、既に接続状態にある複数のＵＥのうち、または接続状態になることを要求している複数のＵＥのうちから第１サポートＵＥを選択する。
【００３３】
任意で、基地局は、高いチャネル品質の、接続状態にあるＵＥを第１サポートＵＥとして選択する。
【００３４】
当然に、第１サポートＵＥのサポート識別子は事前設定されていてもよく、本願発明においてこのことは限定されない。
【００３５】
例えば、基地局は、ＵＥ１、ＵＥ２、およびＵＥ３をカバーし、３つのＵＥ全てが接続状態にある。基地局は、３つのＵＥのチャネル品質および輻輳状態など複数の条件に従って、ＵＥ１と、ＵＥ２と、ＵＥ３とのうちＵＥ２をサポートＵＥとして選択する。
【００３６】
任意で、基地局は選択された第１サポートＵＥにサポート識別子を割り当てる。
【００３７】
なお、第１サポートＵＥのサポート識別子も事前設定されていてもよく、本願発明においてこのことは限定されない。
【００３８】
１０２。第１サポートＵＥによりサーブされる第１受益ＵＥを決定。
【００３９】
なお、サポートＵＥは他のＵＥにより送信されたデータを基地局へ送信するＵＥであり、受益ＵＥはデータを、サポートＵＥを通じて基地局へ転送するＵＥである。
【００４０】
具体的には、第１サポートＵＥを決定した後に、基地局は、第１サポートＵＥと他のＵＥとの間の複数の関係に従って、第１サポートＵＥによりサーブされる第１受益ＵＥを決定する。例えば、基地局は、第１サポートＵＥと、接続状態にある他のＵＥとの間の複数の位置関係に従って、第１サポートＵＥの第１受益ＵＥを決定し得る。当然に、基地局は、第１サポートＵＥと、接続状態にある他のＵＥとの間の複数のサービス関係に従って、第１サポートＵＥの第１受益ＵＥを決定し得る。
【００４１】
なお、基地局は、他の複数の関係に従って第１サポートＵＥの第１受益ＵＥを決定してもよく、本願発明においてこのことは限定されない。
【００４２】
さらに、第１サポートＵＥによりサーブされる第１受益ＵＥを決定する前に、少なくとも１つのサポート識別子を伝達する、第１ＵＥにより送信されたＲＲＣ確立要求メッセージを基地局が受信したとき、少なくとも１つのサポート識別子が第１サポートＵＥのサポート識別子を含む場合、基地局は、第１ＵＥを第１サポートＵＥの第１受益ＵＥとして決定する。
【００４３】
少なくとも１つのサポート識別子が第１サポートＵＥのサポート識別子を含まず、第１ＵＥと第１サポートＵＥとの間の関係に従って、第１サポートＵＥをサポートＵＥとして決定するものとして第１ＵＥがより適切であることを基地局が検出した場合、基地局は第１ＵＥを、第１サポートＵＥによりサーブされる第１受益ＵＥとして決定する。
【００４４】
例えば、ＷｉＦｉ（Ｗｉｒｅｌｅｓｓ  Ｆｉｄｅｌｉｔｙ。ワイヤレス・フィディリティー）ＡＰ（Ａｃｃｅｓｓ  Ｐｏｉｎｔ。無線アクセスポイント）のシナリオにおいて、第１サポートＵＥはＷｉＦｉ機能付きサポートＵＥ、つまり、基地局により選択される第１サポートＵＥであり、第１サポートＵＥはＷｉＦｉを実行する。ＲＲＣ（Ｒａｄｉｏ  Ｒｅｓｏｕｒｃｅ  Ｃｏｎｔｒｏｌ。無線リソース制御）接続確立要求メッセージを送信する前に、第１ＵＥは、周囲の複数のＷｉＦｉ信号の少なくとも１つのサポート識別子を取得し、取得した複数のＷｉＦｉ信号の少なくとも１つのサポート識別子をＲＲＣ接続確立要求メッセージに追加し、メッセージを基地局へ送信すべく、複数のＷｉＦｉ信号を検索する必要がある。複数のＷｉＦｉ信号の少なくとも１つのサポート識別子を伝達するＲＲＣ接続確立要求メッセージを受信した後に、複数のＷｉＦｉ信号の少なくとも１つのサポート識別子が第１サポートＵＥのサポート識別子を含むことが検出された場合、基地局は第１ＵＥを、第１サポートＵＥの第１受益ＵＥとして決定する。複数のＷｉＦｉ信号の少なくとも１つのサポート識別子が第１サポートＵＥのサポート識別子を含まないことが検出された場合、基地局は、第１サポートＵＥと、少なくとも１つのサポート識別子に対応するサポートＵＥとを比較して、第１ＵＥのサポートＵＥとしてどちらがより適切であるかを決定する。第１ＵＥと第１サポートＵＥとの間の位置関係などの関係に従って、第１サポートＵＥとしてサポートＵＥを決定するものとして第１ＵＥがより適切であると基地局が決定した場合、基地局は第１ＵＥを、第１サポートＵＥの第１受益ＵＥとして決定する。
【００４５】
なお、本願発明の複数の実施形態において、サポートＵＥによりサーブされる受益ＵＥを決定するとき、基地局は同時に、受益ＵＥの無線ベアラも決定し得る。
【００４６】
１０３。第１サポートＵＥのために第１サポートＵＥの合成層情報と、第１サポートＵＥの第１合成ベアラ情報とを第１受益ＵＥの無線ベアラ情報に従って構成。
【００４７】
具体的には、基地局は、第１サポートＵＥのために第１サポートＵＥの合成層情報と、第１サポートＵＥの第１合成ベアラ情報とを第１受益ＵＥの無線ベアラ情報に従って構成し、その結果として第１サポートＵＥが、第１サポートＵＥの第１合成ベアラ情報に従って第１合成ベアラを確立し、第１サポートＵＥの合成層情報に従って第１受益ＵＥへの短距離リンクを確立し、第１サポートＵＥが、短距離リンク上で第１受益ＵＥにより送信されたアップリンクデータを受信して第１合成ベアラ上で基地局へアップリンクデータを送信する、または、第１合成ベアラ上で基地局により送信されたダウンリンクデータを受信して短距離リンク上で第１受益ＵＥへダウンリンクデータを送信するようになる。
【００４８】
第１サポートＵＥの合成層情報は、ベアラ識別子と第１合成ベアラとの間のマッピング関係である、第１サポートＵＥのために基地局により構成されたマッピング関係を含む。
【００４９】
第１合成ベアラ情報は、第１サポートＵＥにより確立される必要がある無線ベアラである、第１受益ＵＥの無線ベアラと同じである無線ベアラについての情報である。
【００５０】
任意で、ベアラ識別子は短距離ベアラを含む。
【００５１】
ベアラ識別子は基地局により構成され、受益ＵＥの無線ベアラとサポートＵＥの合成ベアラとの間の１対１のマッピング関係をマーク付けする。
【００５２】
なお、第１合成ベアラは第１サポートＵＥにより確立され、第１受益ＵＥのデータを送信するための無線ベアラである。
【００５３】
具体的には、第１サポートＵＥは第１受益ＵＥのデータを送信する必要があるので、第１受益ＵＥの無線ベアラと同一である無線ベアラ、つまり、第１合成ベアラは、第１サポートＵＥ側で確立される必要がある。この場合、基地局は第１受益ＵＥの無線ベアラ情報を第１サポートＵＥへ通知する必要があり、したがって、基地局は、第１サポートＵＥの第１合成ベアラ情報を第１受益ＵＥの無線ベアラ情報に従って構成する。さらに、基地局は、第１受益ＵＥの無線ベアラと第１サポートＵＥの第１合成ベアラとの間の１対１のマッピング関係を確立する必要がある。この場合、基地局は、ベアラ識別子と、第１受益ＵＥの無線ベアラに対応する第１合成ベアラである、第１サポートＵＥの第１合成ベアラとの間のマッピング関係を第１サポートＵＥの合成層情報として用いることにより第１サポートＵＥを構成する必要がある。
【００５４】
例えば、第１受益ＵＥの無線ベアラ１は、第１サポートＵＥの第１合成ベアラ３と１対１のマッピング関係にある。この場合、基地局は、ベアラ識別子１と、第１サポートＵＥの第１合成ベアラ３との間のマッピング関係を第１サポートＵＥの合成層情報として用いることにより第１サポートＵＥを構成する。
【００５５】
さらに、基地局は、第１サポートＵＥの合成層情報と第１サポートＵＥの第１合成ベアラ情報とをＲＲＣ再構成メッセージに追加し、第１サポートＵＥのために第１サポートＵＥの合成層情報と第１サポートＵＥの第１合成ベアラ情報とを構成するとき、ＲＲＣ再構成メッセージを用いることにより第１サポートＵＥを構成する。
【００５６】
１０４。第１受益ＵＥのために第１受益ＵＥの合成層情報を第１受益ＵＥの無線ベアラ情報に従って構成。
【００５７】
具体的には、基地局は、第１受益ＵＥのために第１受益ＵＥの合成層情報を第１受益ＵＥの無線ベアラ情報に従って構成し、その結果として第１受益ＵＥが、第１受益ＵＥの合成層情報に従って第１サポートＵＥへの短距離リンクを確立し、第１受益ＵＥが、短距離リンク上で第１サポートＵＥへアップリンクデータを送信する、または、短距離リンク上で第１サポートＵＥにより送信されたダウンリンクデータを受信するようになる。
【００５８】
第１受益ＵＥの合成層情報は、ベアラ識別子と第１受益ＵＥの無線ベアラとの間のマッピング関係である、第１受益ＵＥのために基地局により構成されたマッピング関係を含む。
【００５９】
具体的には、第１受益ＵＥは第１サポートＵＥを通じて基地局と通信を行い、基地局は、第１受益ＵＥの無線ベアラとベアラ識別子との間のマッピング関係と、第１サポートＵＥの第１合成ベアラとベアラ識別子との間のマッピング関係とを確立する必要がある。
【００６０】
基地局は、第１受益ＵＥの無線ベアラとベアラ識別子との間のマッピング関係を第１受益ＵＥの合成層情報として用いることにより第１受益ＵＥを構成する。段階１０３に関して、基地局が第１サポートＵＥの第１合成ベアラとベアラ識別子との間のマッピング関係をいかに確立するかが説明されており、ここではさらには繰り返されない。
【００６１】
上述したように、基地局は、第１受益ＵＥの無線ベアラ１とベアラ識別子１との間のマッピング関係を第１受益ＵＥの合成層情報として用いることにより第１受益ＵＥを構成する。このように、基地局が第１受益ＵＥおよび第１サポートＵＥのために合成層情報を構成した後に、第１受益ＵＥの無線ベアラ１はベアラ識別子１に対応し、ベアラ識別子１は第１サポートＵＥの第１合成ベアラ３に対応し、したがって、第１受益ＵＥの無線ベアラ１は、第１サポートＵＥの第１合成ベアラ３と１対１のマッピング関係にある。
【００６２】
さらに、基地局は、第１受益ＵＥの合成層情報をＲＲＣ再構成メッセージに追加し、第１受益ＵＥのために第１受益ＵＥの合成層情報を構成するとき、ＲＲＣ再構成メッセージを用いることにより第１受益ＵＥを構成する。
【００６３】
１０５。基地局の合成層情報を第１受益ＵＥの無線ベアラ情報に従って構成。
【００６４】
基地局の合成層情報は、ベアラ識別子により識別される第１合成ベアラと無線ベアラとの間のマッピング関係を含む。このように、データを受信した後に、データに含まれるベアラ識別子に従って、基地局は、データを送信する受益ＵＥを知り得、データを送信するのに受益ＵＥにより用いられる特定の無線ベアラを知り得る。
【００６５】
具体的には、第１サポートＵＥと第１受益ＵＥとのために合成層情報を構成するとき、基地局は、第１サポートＵＥの第１合成ベアラとベアラ識別子との間のマッピング関係と、第１受益ＵＥの無線ベアラとベアラ識別子との間のマッピング関係とを基地局の合成層情報として構成する必要がある。
【００６６】
上記にて説明されたように、第１受益ＵＥと第１サポートＵＥとのために合成層情報を構成した後に、基地局は、第１受益ＵＥの無線ベアラ１がベアラ識別子１に対応し、第１サポートＵＥの第１合成ベアラ３がベアラ識別子１に対応する合成層情報を自身のために構成する必要がある。このように、データを受信した後に、データに含まれるベアラ識別子１に従って、基地局は、第１受益ＵＥが無線ベアラ１を通じてデータを送信することを知ることが出来、ダウンリンクデータを第１受益ＵＥへ、第１サポートＵＥを通じて送信し得る。
【００６７】
なお、本願発明は、段階１０３、１０４および１０５の間の順序を限定せず、段階１０３、１０４および１０５が連続的に実行され得、または、段階１０４、１０３および１０５が連続的に実行され得、段階１０３、１０４および１０５が同時に実行され得、本願発明においてこのことは限定されない。これらのうち１つのみが図面において示される。
【００６８】
本願発明の実施形態で提供される無線リンク確立方法において、基地局は、第１サポートＵＥを決定し、第１サポートＵＥの第１受益ＵＥを決定し、そして、第１受益ＵＥの無線ベアラに従って、第１サポートＵＥの合成層情報と第１サポートＵＥの第１合成ベアラ情報とを構成し、第１受益ＵＥのために第１受益ＵＥの合成層情報を構成する。このように、第１サポートＵＥは、第１サポートＵＥの第１合成ベアラ情報に従って第１合成ベアラを確立し得る。第１サポートＵＥは第１サポートＵＥの合成層情報に従って、第１受益ＵＥは第１受益ＵＥの合成層情報に従って、第１サポートＵＥと第１受益ＵＥとの間の短距離リンクを確立する。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。
【００６９】
本願発明の実施形態は、無線リンク確立方法を提供する。図２に示されるように、方法は以下の複数の段階を含む。
【００７０】
２０１。基地局により送信された第１サポートＵＥの合成層情報と第１サポートＵＥの第１合成ベアラ情報とを受信。
【００７１】
第１サポートＵＥの合成層情報は、ベアラ識別子と第１合成ベアラとの間のマッピング関係である、第１サポートＵＥのために基地局により構成されたマッピング関係を含む。
【００７２】
第１合成ベアラ情報は、第１サポートＵＥにより確立される必要がある無線ベアラである、第１受益ＵＥの無線ベアラと同じである無線ベアラについての情報である。
【００７３】
任意で、ベアラ識別子は短距離ベアラを含む。
【００７４】
ベアラ識別子は基地局により構成され、受益ＵＥの無線ベアラとサポートＵＥの合成ベアラとの間の１対１のマッピング関係をマーク付けする。
【００７５】
なお、第１合成ベアラは第１サポートＵＥにより確立され、第１受益ＵＥのデータを送信するための無線ベアラである。
【００７６】
任意で、基地局は、第１サポートＵＥの合成層情報と第１サポートＵＥの第１合成ベアラ情報とを無線リソース制御ＲＲＣ再構成メッセージに追加し、メッセージを第１サポートＵＥへ送信する。第１サポートＵＥはＲＲＣ再構成メッセージを受信する。
【００７７】
さらに、ＲＲＣ再構成メッセージはさらに、第１サポートＵＥのために基地局により構成されたサポート識別子を伝達する。サポート識別子を受信した後に、第１サポートＵＥは、ブロードキャスト方式でサポート識別子をブロードキャストし、第１ＵＥが自身のサポート識別子を知るようにし得る。
【００７８】
２０２。第１サポートＵＥの合成層情報に従って第１受益ＵＥへの短距離リンクを確立し、第１サポートＵＥの第１合成ベアラ情報に従って第１合成ベアラを確立。
【００７９】
具体的には、第１サポートＵＥの合成層情報に従って、第１サポートＵＥは、短距離リンク確立要求を第１受益ＵＥへ送信し得る。したがって、第１サポートＵＥと第１受益ＵＥとの間の通信を目的とし、第１受益ＵＥは、短距離リンク確立要求を受信し、短距離リンク確立要求に応答し、第１サポートＵＥと第１受益ＵＥとの間の短距離リンクを確立し得る。代替的に、第１受益ＵＥは、短距離リンク確立要求を第１サポートＵＥへ送信し得、したがって、第１サポートＵＥは、短距離リンク確立要求を受信し、短距離リンク確立要求に応答し、第１サポートＵＥと第１受益ＵＥとの間の短距離リンクを確立する。
【００８０】
なお、１つの第１サポートＵＥと１つの第１受益ＵＥとの間で１つの短距離リンクのみが確立される。
【００８１】
なお、第１サポートＵＥと第１受益ＵＥとの間の短距離リンクは、他の方式でも確立され得、本願発明においてこのことは限定されない。
【００８２】
第１サポートＵＥは第１受益ＵＥのデータを送信する必要があるので、第１受益ＵＥの無線ベアラと同一である無線ベアラ、つまり、第１合成ベアラは、第１サポートＵＥ側で確立される必要がある。この場合、第１サポートＵＥは、第１サポートＵＥの第１合成ベアラ情報に従って第１合成ベアラを確立する。
【００８３】
第１合成ベアラは第１サポートＵＥにより確立され、第１受益ＵＥのデータを送信するための無線ベアラである。
【００８４】
本願発明の実施形態で提供される無線リンク確立方法において、基地局により送信された第１サポートＵＥの合成層情報と、第１サポートＵＥの第１合成ベアラ情報を受信した後に、基地局は、第１サポートＵＥの合成層情報に従って、第１受益ＵＥへの短距離リンクを確立し、第１サポートＵＥの第１合成ベアラ情報に従って第１合成ベアラを確立し、第１受益ＵＥのデータ情報が転送されるようにする。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。
【００８５】
本願発明の実施形態は無線リンク確立方法を提供する。図３に示されるように、方法は以下の複数の段階を含む。
【００８６】
３０１。基地局により送信された第１受益ＵＥの合成層情報を受信。
【００８７】
第１受益ＵＥの合成層情報は、ベアラ識別子と第１受益ＵＥの無線ベアラとの間のマッピング関係である、第１受益ＵＥのために基地局により構成されたマッピング関係を含む。
【００８８】
任意で、ベアラ識別子は短距離ベアラを含む。
【００８９】
ベアラ識別子は基地局により構成され、受益ＵＥの無線ベアラとサポートＵＥの合成ベアラとの間の１対１のマッピング関係をマーク付けする。
【００９０】
３０２。第１受益ＵＥの合成層情報に従って第１サポートＵＥへの短距離リンクを確立。
【００９１】
具体的には、第１サポートＵＥが短距離リンク確立要求を送信する場合、第１受益ＵＥは、短距離リンク確立要求に応答し、第１サポートＵＥへの短距離リンクを確立し、その結果として第１受益ＵＥが、短距離リンク上で基地局宛てのデータを第１サポートＵＥへ送信し、第１サポートＵＥがデータを基地局へ転送するようにする、または、基地局がデータを第１受益ＵＥへ送信する必要があるとき、基地局はデータを第１サポートＵＥへ送信し、第１サポートＵＥは、短距離リンク上でデータを第１受益ＵＥへ送信するようになる。第１受益ＵＥは、短距離リンク確立要求を第１サポートＵＥへ送信し得、したがって、第１サポートＵＥは、短距離リンク確立要求を受信し、短距離リンク確立要求に応答し、短距離リンクを確立する。
【００９２】
さらに、第１受益ＵＥが第１サポートＵＥへの短距離リンクを確立した後に、基地局は第１受益ＵＥを制御して、非同期接続状態にする。この場合、データを送信する必要があるとき、第１受益ＵＥは、第１サポートＵＥを通じてデータを基地局へ送信する。基地局により送信されたデータを受信する必要があるとき、第１受益ＵＥは、第１サポートＵＥを通じてデータを受信する。
【００９３】
本願発明の実施形態で提供される無線リンク確立方法において、第１受益ＵＥは、基地局により送信された第１受益ＵＥの合成層情報を受信し、第１受益ＵＥの合成層情報に従って、第１サポートＵＥへの短距離リンクを確立する。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。
【００９４】
本願発明の実施形態は、無線リンク確立方法を提供する。図４に示されるように、方法は以下の複数の段階を含む。
【００９５】
４０１。この段階は段階１０１と同じであり、ここではさらには繰り返されない。
【００９６】
４０２。基地局が、第１サポートＵＥが第１アプリケーションを実行するかを検出する。
【００９７】
第１アプリケーションは、サポートＵＥにより実行されるアプリケーションである。
【００９８】
具体的には、第１サポートＵＥを決定した後に、基地局は、第１サポートＵＥを検出し、第１サポートＵＥが第１アプリケーションを実行したかをチェックする。第１サポートＵＥが第１アプリケーションを実行した場合、段階４０４が実行され、第１サポートＵＥが第１アプリケーションを実行していない場合、段階４０３が実行される。
【００９９】
４０３。基地局が、トリガメッセージを第１サポートＵＥへ送信し、第１サポートＵＥがトリガメッセージを受信し実行する。
【０１００】
トリガメッセージは、基地局により選択されたサポートＵＥに第１アプリケーションを実行するよう命令するためのメッセージである。
【０１０１】
具体的には、第１サポートＵＥは、トリガメッセージを受信し、トリガメッセージに従って第１アプリケーションを実行する。
【０１０２】
例えば、ＷｉＦｉ  ＡＰのシナリオにおいて、基地局は、ＵＥを第１サポートＵＥとして決定し、したがって、この時の第１サポートＵＥはＷｉＦｉ機能付きサポートＵＥである。第１サポートＵＥがＷｉＦｉアプリケーションを実行していない場合、基地局はトリガメッセージを第１サポートＵＥへ送信し、第１サポートＵＥは、トリガメッセージを受信した後に、ＷｉＦｉアプリケーションを実行する。
【０１０３】
なお、トリガメッセージは、無線リソース制御プロトコルＲＲＣメッセージ、またはＭＡＣ（Ｍｅｄｉａ  Ａｃｃｅｓｓ  Ｃｏｎｔｒｏｌ。媒体アクセス制御）層メッセージ、または物理層メッセージ、または他のメッセージであり得、本願発明においてこのことは限定されない。
【０１０４】
４０４。第１ＵＥが少なくとも１つのサポート識別子を取得する。
【０１０５】
具体的には、第１ＵＥは、第１アプリケーションを実行したサポートＵＥによりブロードキャストされる少なくとも１つのサポート識別子を取得する。
【０１０６】
４０５。第１ＵＥが、ＲＲＣ接続確立要求メッセージを基地局へ送信する。基地局は、第１ＵＥにより送信されたＲＲＣ接続確立要求メッセージを受信する。
【０１０７】
ＲＲＣ接続確立要求メッセージは、サポートＵＥの少なくとも１つのサポート識別子を伝達する。
【０１０８】
４０６。基地局が、第１サポートＵＥによりサーブされる第１受益ＵＥを決定する。
【０１０９】
具体的には、段階１０２が参照され得、繰り返しの説明はここではさらには示されない。
【０１１０】
４０７。基地局が、第１サポートＵＥのために第１サポートＵＥの合成層情報と、第１サポートＵＥの第１合成ベアラ情報とを第１受益ＵＥの無線ベアラ情報に従って構成し、第１サポートＵＥが、第１サポートＵＥの合成層情報と第１サポートＵＥの第１合成ベアラ情報とを受信する。
【０１１１】
具体的には、段階１０３および段階２０１が参照され得、繰り返しの説明はここではさらには示されない。
【０１１２】
４０８。基地局が、第１受益ＵＥのために第１受益ＵＥの合成層情報を第１受益ＵＥの無線ベアラ情報に従って構成し、第１受益ＵＥが、第１受益ＵＥの合成層情報を受信する。
【０１１３】
具体的には、段階１０４および段階３０１が参照され得、繰り返しの説明はここではさらには示されない。
【０１１４】
４０９。この段階は段階１０５と同じであり、ここではさらには繰り返されない。
【０１１５】
なお、段階４０７、４０８および４０９の間の順序は必要に応じて調整可能である。  基地局は、段階４０７、４０８および４０９を連続的に実行し得、または、段階４０８、４０７および４０９を連続的に実行し得、段階４０７、４０８および４０９を同時に実行し得、本願発明においてこのことは限定されない。
【０１１６】
４１０。基地局が、第１受益ＵＥを非同期接続状態へと変化させる。
【０１１７】
具体的には、第１受益ＵＥの合成層情報を第１受益ＵＥへ送信した後に、基地局は、事前設定された時間内にＴＡ（Ｔｉｍｅ  Ａｌｉｇｎｍｅｎｔ。タイムアライメント）情報を第１受益ＵＥへ送信せず、第１受益ＵＥを非同期接続状態へと変化させる。
【０１１８】
なお、ＴＡ情報は基地局側の全てのＵＥのアップリンク到達が整合させられるようＵＥのアップリンク送信を調整するためのアドバンス量である。
【０１１９】
なお、事前設定された時間は、必要に応じて基地局により事前設定され得る。
【０１２０】
なお、基地局は、他のやり方によっても第１受益ＵＥを非同期接続状態へと変化するようにし得、このことは本願発明の実施形態において限定されない。
【０１２１】
４１１。第１サポートＵＥが、第１受益ＵＥへの短距離リンクを確立する。
【０１２２】
具体的には、段階２０２および段階３０２が参照され得、繰り返しの説明はここではさらには示されない。
【０１２３】
４１２。第１受益ＵＥが短距離リンクを検出する。
【０１２４】
第１受益ＵＥの合成層情報はさらに、第１受益ＵＥの短距離リンクを検出するよう第１受益ＵＥに命令する情報を含む。
【０１２５】
具体的には、短距離リンクが第１受益ＵＥと第１サポートＵＥとの間で確立された後に、第１受益ＵＥは短距離リンクを検出し、したがって、第１受益ＵＥがアップリンクデータの送信に失敗したとき、第１受益ＵＥは、同期接続状態へと変化し、そして、短距離リンク報告を基地局へ送信する。この場合、短距離リンク品質報告は、短距離リンクの品質指標が第２事前設定値より低いことを記録する。
【０１２６】
なお、第２事前設定値は、基地局および第１受益ＵＥにより事前設定される。
【０１２７】
４１３。第１サポートＵＥが短距離リンクを検出する。
【０１２８】
第１サポートＵＥの合成層情報はさらに、第１サポートＵＥの短距離リンクを検出するよう第１サポートＵＥに命令する情報を含む。
【０１２９】
具体的には、第１受益ＵＥと第１サポートＵＥとの間で短距離リンクが確立された後に、第１サポートＵＥは短距離リンクを検出し、したがって、第１サポートＵＥがダウンリンクデータの第１受益ＵＥへの送信に失敗したとき、第１サポートＵＥは失敗を基地局へ報告する。この場合、短距離リンク品質報告は、短距離リンクの品質指標が第３事前設定値より低いことを記録し、したがって、短距離リンク品質報告を受信するとき、基地局は、短距離リンクの品質指標が第３事前設定値より低いことを検出し、第１受益ＵＥの非同期接続状態から同期接続状態への変化をトリガする、または、第１サポートＵＥを変更する手順を開始し得る。
【０１３０】
なお、第３事前設定値は、基地局および第１サポートＵＥにより事前設定される。
【０１３１】
なお、第１受益ＵＥはアップリンクデータを基地局へ送信する必要がある場合、図５に示されるように、段階４１４〜４１９が実行される。基地局がダウンリンクデータを第１受益ＵＥへ送信する必要がある場合、図５に示されるように、段階４２０〜４２４が実行される。
【０１３２】
４１４。第１受益ＵＥがアップリンクデータを基地局へ送信する必要がある場合、第１受益ＵＥの合成層情報に従って、アップリンクデータを送信する必要がある無線ベアラに対応する第１ベアラ識別子を決定。
【０１３３】
具体的には、第１受益ＵＥがアップリンクデータを基地局へ送信する必要がある場合、アップリンクデータに対応する無線ベアラがまず決定され、つまり、第１無線ベアラが決定され、そして、第１受益ＵＥの合成層情報に従って、アップリンクデータを送信する必要がある無線ベアラに対応するベアラ識別子が決定され、つまり、第１無線ベアラに対応する第１ベアラ識別子が決定される。加えて、アップリンクデータを送信する必要がある無線ベアラを決定した後に、第１受益ＵＥは、アップリンクデータを送信する必要がある無線ベアラに従って、対応する短距離リンクを決定する。
【０１３４】
なお、受益ＵＥにおいて、１つの無線ベアラは１つの短距離リンクのみに対応する。例えば、第１無線ベアラは、第１受益ＵＥと第１サポートＵＥとの間の短距離リンクのみに対応し、もはや第１受益ＵＥと他のサポートＵＥとの間の短距離リンクに対応しない。１つの短距離リンクは、第１受益ＵＥの複数の無線ベアラに対応し得る。
【０１３５】
４１５。第１受益ＵＥは、第１ベアラ識別子をアップリンクデータへ追加する。
【０１３６】
４１６。第１受益ＵＥは、アップリンクデータを送信する必要がある無線ベアラ、およびアップリンクデータを送信する必要がある無線ベアラに対応する短距離リンク上で、アップリンクデータを第１サポートＵＥへ送信する。第１サポートＵＥは、短距離リンク上で第１受益ＵＥにより送信されたアップリンクデータを受信する。
【０１３７】
アップリンクデータは第１ベアラ識別子を伝達する。
【０１３８】
４１７。第１サポートＵＥが、アップリンクデータに含まれる第１ベアラ識別子、および第１サポートＵＥの合成層情報に従って、第１ベアラ識別子に対応する第１合成ベアラを決定する。
【０１３９】
第１ベアラ識別子に対応する第１合成ベアラは、アップリンクデータを送信するために用いられる合成ベアラである。
【０１４０】
具体的には、アップリンクデータを受信した後に、第１サポートＵＥは、アップリンクデータをパースして第１ベアラ識別子を取得し、第１ベアラ識別子に従って第１サポートＵＥの合成層情報を検索し、したがって、第１ベアラ識別子に対応する第１合成ベアラを見つける。
【０１４１】
４１８。第１サポートＵＥが、第１ベアラ識別子に対応する第１合成ベアラ上で、アップリンクデータを基地局へ送信する。基地局は、第１サポートＵＥにより送信されたアップリンクデータを受信する。
【０１４２】
アップリンクデータは第１ベアラ識別子を伝達する。
【０１４３】
４１９。アップリンクデータに含まれる第１ベアラ識別子および基地局の合成層情報に従って、アップリンクデータを送信する第１受益ＵＥの無線ベアラである、第１ベアラ識別子に対応する無線ベアラを基地局が決定する。
【０１４４】
具体的には、アップリンクデータを受信した後に、基地局は、アップリンクデータをパースして第１ベアラ識別子を取得し、第１ベアラ識別子に従って、基地局の合成層情報を検索し、第１受益ＵＥの無線ベアラであり基地局の合成層情報に記録された第１ベアラ識別子に対応する無線ベアラを見つけ、アップリンクデータを処理する。
【０１４５】
４２０。基地局が、ダウンリンクデータを第１サポートＵＥへ送信する。第１サポートＵＥは、基地局により送信されたダウンリンクデータを受信する。
【０１４６】
ダウンリンクデータは第２ベアラ識別子を伝達し、したがって、第１サポートＵＥは、第２ベアラ識別子に従って第２ベアラ識別子に対応する第１合成ベアラを決定し、第２ベアラ識別子に対応する第１合成ベアラを用いてダウンリンクデータを受信し、第１サポートＵＥがダウンリンクデータを、第２ベアラ識別子に対応する第１合成ベアラに対応する短距離リンク上で、対応する第１受益ＵＥへ送信するようになる。
【０１４７】
具体的には、基地局がダウンリンクデータを、第１受益ＵＥの第２無線ベアラへ送信する必要がある場合、基地局は、基地局の合成層情報を検索し、したがって、第１受益ＵＥの第２無線ベアラに対応するベアラ識別子を決定し、つまり、第２ベアラ識別子を決定する。基地局は、第２ベアラ識別子をダウンリンクデータへ追加し、ダウンリンクデータを第１サポートＵＥへ送信する。
【０１４８】
４２１。第１サポートＵＥが、第２ベアラ識別子および第１サポートＵＥの合成層情報に従って、第２ベアラ識別子に対応する第１合成ベアラを決定する。
【０１４９】
具体的には、ダウンリンクデータを受信した後に、第１サポートＵＥは、ダウンリンクデータをパースして第２ベアラ識別子を取得し、第２ベアラ識別子に従って第１サポートＵＥの合成層情報を検索し、したがって、第２ベアラ識別子に対応する第１合成ベアラを決定する。
【０１５０】
４２２。第１サポートＵＥが、第２ベアラ識別子に対応する第１合成ベアラ、および第２ベアラ識別子に対応する第１合成ベアラに対応する短距離リンク上で、対応する第１受益ＵＥへダウンリンクデータを送信する。第１受益ＵＥは、短距離リンク上で第１サポートＵＥにより送信されたダウンリンクデータを受信する。
【０１５１】
具体的には、第２ベアラ識別子に対応する第１合成ベアラを決定した後に、第１サポートＵＥは、第２ベアラ識別子に対応する第１合成ベアラ上でダウンリンクデータを受信し、第２ベアラ識別子に対応する第１合成ベアラに従って第２ベアラ識別子に対応する第１合成ベアラに対応する短距離リンクを決定し得る。ダウンリンクデータは、第２ベアラ識別子に対応する第１合成ベアラ上で、対応する短距離リンクへ送信され、そして、短距離リンクに対応する第１受益ＵＥへ送信される。
【０１５２】
なお、第１サポートＵＥにおいて、１つの合成ベアラは１つの短距離リンクのみに対応する。１つの短距離リンクは、第１サポートＵＥの複数の合成ベアラに対応し得る。
【０１５３】
４２３。第１受益ＵＥが、ダウンリンクデータで伝達される第２ベアラ識別子、および第１受益ＵＥの合成層情報に従って第２ベアラ識別子に対応する無線ベアラを決定する。
【０１５４】
具体的には、ダウンリンクデータを受信した後に、第１受益ＵＥは、ダウンリンクデータをパースして第２ベアラ識別子を取得し、第２ベアラ識別子に従って第１受益ＵＥの合成層情報を検索し、したがって、第２ベアラ識別子に対応する無線ベアラを決定し、つまり、第２無線ベアラを決定する。
【０１５５】
４２４。第１受益ＵＥがダウンリンクデータを、第２ベアラ識別子に対応する無線ベアラ上で受信する。
【０１５６】
具体的には、第２無線ベアラを決定した後に、第１受益ＵＥはダウンリンクデータを、決定された第２無線ベアラ上で受信し、ダウンリンクデータを対応するプロセッシングユニットへ送信する。第１受益ＵＥはダウンリンクデータを処理する。
【０１５７】
なお、短距離リンクのリンク品質指標が第２事前設定値より低いことを第１受益ＵＥが検出した場合、または、短距離リンクのリンク品質指標が第３事前設定値より低いことを第１サポートＵＥが検出した場合、報告メッセージが基地局へ送信される。報告メッセージを受信した後に、基地局は、第１受益ＵＥを非同期接続状態から同期接続状態へと変化させる処理を実行し得、または、第１サポートＵＥを変更する処理を実行し得る。
【０１５８】
なお、短距離リンクの品質指標が第２事前設定値より低いことを検出した後に、第１受益ＵＥがどのように非同期接続状態から同期接続状態へと変化させる処理を開始し、短距離リンク品質報告を基地局へ送信するかについては、図６に示されるように、段階４２５、４２６および４２７が参照され得る。
【０１５９】
４２５。短距離リンクの品質指標が第２事前設定値より低いことが検出された場合、第１受益ＵＥが、プリアンブル（ｐｒｅａｍｂｌｅ）を基地局へ送信する。基地局はプリアンブルを受信する。
【０１６０】
４２６。基地局が、第１受益ＵＥを非同期接続状態から同期接続状態へと変化させるべく第１受益ＵＥへＲＡＲ（Ｒａｎｄｏｍ  Ａｃｃｅｓｓ  Ｒｅｓｐｏｎｓｅ。ランダムアクセス応答）メッセージを送信する。第１受益ＵＥは、基地局により送信されたＲＡＲメッセージを受信する。
【０１６１】
４２７。第１受益ＵＥが短距離リンク品質報告を基地局へ送信する。
【０１６２】
短距離リンク品質報告は、短距離リンクの品質を記録する。
【０１６３】
任意で、第１受益ＵＥは、短距離リンク品質報告をメッセージ３へ追加し得、メッセージを基地局へ送信する。
【０１６４】
なお、第１受益ＵＥは、短距離リンク品質報告を他のメッセージに追加し、メッセージを基地局へ送信してもよく、本願発明においてこのことは限定されない。
【０１６５】
なお、基地局が第１サポートＵＥを変更する必要がある場合、図７に示されるように、段階４２８〜４３７が実行される。
【０１６６】
４２８。第１サポートＵＥが変更される必要があると決定された場合、基地局は、第１サポートＵＥを変更する手順を開始する。
【０１６７】
具体的には、基地局は、第１サポートＵＥのマクロネットワークリンクを検出し得、マクロネットワークリンクの品質指標が第１事前設定値より低いと検出された場合、第１サポートＵＥを変更することを決定し得る。
【０１６８】
マクロネットワークリンクは、第１サポートＵＥと基地局との間の通信リンクである。
【０１６９】
なお、第１事前設定値は、基地局により事前設定される。
【０１７０】
基地局は、第１受益ＵＥにより送信された短距離リンク品質報告を受信し得、短距離リンクの品質指標が第２事前設定値より低いことを短距離リンク品質報告が記録している場合、第１サポートＵＥを変更することを決定し得る。
【０１７１】
基地局は、第１サポートＵＥにより送信された短距離リンク品質報告を受信し得、短距離リンクの品質指標が第３事前設定値より低いと短距離リンク品質報告が記録している場合、第１サポートＵＥを変更することを決定し得る。
【０１７２】
なお、基地局は、複数の他の条件に従って第１サポートＵＥを変更することを決定してもよく、本願発明においてこのことは限定されない。
【０１７３】
４２９。基地局が第２サポートＵＥを決定する。
【０１７４】
具体的には、基地局は、既に接続状態にある複数のＵＥ、または接続状態になることを要求している複数のＵＥのうち第１サポートＵＥ以外の１つのＵＥを第２サポートＵＥとして選択し得る。基地局は、第１サポートＵＥを選択するのと同じやり方で第２サポートＵＥを選択し、段階１０１が参照され得、繰り返しの説明はここではさらには示されない。
【０１７５】
任意で、基地局は、サポート識別子を選択された第２サポートＵＥへ割り当て得る。
【０１７６】
なお、第２サポートＵＥのサポート識別子は事前設定されてもよく、本願発明においてこのことは限定されない。
【０１７７】
４３０。第２サポートＵＥが第１アプリケーションを実行するか、基地局が検出する。
【０１７８】
具体的には、第２サポートＵＥを決定した後に、基地局は、第２サポートＵＥを検出し、第２サポートＵＥが第１アプリケーションを実行したかチェックする。第２サポートＵＥが第１アプリケーションを実行した場合、段階４３２が実行され、第２サポートＵＥが第１アプリケーションを実行していない場合、段階４３１が実行される。
【０１７９】
４３１。基地局がトリガメッセージを第２サポートＵＥへ送信し、第２サポートＵＥがトリガメッセージを受信し実行する。
【０１８０】
具体的には、段階４０３が参照され得、繰り返しの説明はここではさらには示されない。
【０１８１】
４３２。基地局が、第２サポートＵＥによりサーブされる第２受益ＵＥを決定する。
【０１８２】
第２サポートＵＥによりサーブされる第２受益ＵＥは、第１サポートＵＥと第１受益ＵＥとのうち少なくとも１つを含む。
【０１８３】
さらに、第２受益ＵＥは、前に第１サポートＵＥによってサーブされていない受益ＵＥを含み得る。
【０１８４】
具体的には、第２サポートＵＥを決定した後に、第２サポートＵＥが第１サポートＵＥのサービスをサポートする場合、基地局は、第２サポートＵＥによりサーブされる第２受益ＵＥとして第１サポートＵＥを決定する。第２サポートＵＥが第１受益ＵＥのサービスをサポートする場合、基地局は、第２サポートＵＥによりサーブされる第２受益ＵＥとして第１受益ＵＥを決定する。
【０１８５】
第２受益ＵＥがさらに、前に第１サポートＵＥによりサーブされていない受益ＵＥを含む場合、基地局は、第１サポートＵＥによりサーブされる第１受益ＵＥを決定するのと同じやり方で、第２受益ＵＥにおいて前に第１サポートＵＥによりサーブされていない受益ＵＥを決定し得る。段階４０６が参照され得、繰り返しの説明はここではさらには示されない。
【０１８６】
４３３。基地局は、第２サポートＵＥのために第２サポートＵＥの合成層情報と第２サポートＵＥの第２合成ベアラ情報とを第２受益ＵＥの無線ベアラ情報に従って構成する。第２サポートＵＥは、第２サポートＵＥの合成層情報と第２サポートＵＥの第２合成ベアラ情報とを受信する。
【０１８７】
基地局は、第２サポートＵＥのために第２サポートＵＥの合成層情報と第２サポートＵＥの第２合成ベアラ情報とを構成し、その結果として第２サポートＵＥが、第２サポートＵＥの第２合成ベアラ情報に従って第２合成ベアラを確立し、第２サポートＵＥの合成層情報に従って第２受益ＵＥへの短距離リンクを確立する。
【０１８８】
第２サポートＵＥの合成層情報は、ベアラ識別子と第２合成ベアラとの間のマッピング関係である、第２サポートＵＥのために基地局により構成されたマッピング関係を含む。
【０１８９】
第２合成ベアラ情報は、第２サポートＵＥにより確立される必要がある無線ベアラである、第２受益ＵＥの無線ベアラと同じである無線ベアラについての情報である。
【０１９０】
任意で、ベアラ識別子は短距離ベアラを含む。
【０１９１】
具体的には、基地局は、第１サポートＵＥのために第１サポートＵＥの合成層情報と第１サポートＵＥの第１合成ベアラ情報とを構成するのと同じやり方で、第２サポートＵＥのために第２サポートＵＥの合成層情報と第２サポートＵＥの第２合成ベアラ情報とを構成する。段階１０３が参照され得、繰り返しの説明はここではさらには示されない。
【０１９２】
第２サポートＵＥが、第２サポートＵＥの合成層情報と、第２サポートＵＥの第２合成ベアラ情報とを受信する。段階２０１が参照され得、繰り返しの説明はここではさらには示されない。
【０１９３】
４３４。基地局は、基地局の合成層情報を第２受益ＵＥの無線ベアラ情報に従って更新する。
【０１９４】
具体的には、第２サポートＵＥの第２合成ベアラ情報と第２サポートＵＥの合成層情報とを第２受益ＵＥの無線ベアラ情報に従って構成するとき、基地局は自身の合成層情報を、第１サポートＵＥの第１合成ベアラである、ベアラ識別子によりマーク付けされた第１合成ベアラと第１受益ＵＥの無線ベアラとの間のマッピング関係から、第２サポートＵＥの第２合成ベアラである、ベアラ識別子によりマーク付けされた第２合成ベアラと第２受益ＵＥの無線ベアラとの間のマッピング関係へ更新する。
【０１９５】
４３５。基地局は、第２受益ＵＥについての情報を第２受益ＵＥの無線ベアラ情報に従って構成する。
【０１９６】
具体的には、第２受益ＵＥが第１受益ＵＥを含む場合、基地局は、第１受益ＵＥのために第１受益ＵＥの短距離リンク調整情報を第２受益ＵＥの無線ベアラ情報に従って構成し、その結果として第１受益ＵＥが、第１受益ＵＥの短距離リンク調整情報に従って、短距離リンクのサポートＵＥが第２サポートＵＥとなるよう調整する。
【０１９７】
第１受益ＵＥの短距離リンク調整情報は、第１受益ＵＥのために構成された情報である、第１サポートＵＥと接続された短距離リンクから第２サポートＵＥと接続された短距離リンクへと調整するよう第１受益ＵＥに命令することを意図された情報を含む。
【０１９８】
さらに、基地局は、第１受益ＵＥのために第１受益ＵＥの合成層再構成情報を第２受益ＵＥの無線ベアラ情報に従って構成し、その結果として第１受益ＵＥが、第１受益ＵＥの合成層再構成情報に従って第１受益ＵＥの合成層情報を更新する。
【０１９９】
具体的には、第２サポートＵＥを決定した後に、第２サポートＵＥの合成層情報を構成するときに基地局がベアラ識別子をリセットする場合、基地局は、第１受益ＵＥの合成層再構成情報を第１受益ＵＥへ送信する。第１受益ＵＥの合成層再構成情報を受信した後に、第１受益ＵＥは、ベアラ識別子と第１受益ＵＥの無線ベアラとの間のマッピング関係を更新する。
【０２００】
第２受益ＵＥが第１サポートＵＥを含む場合、第１サポートＵＥのために第１サポートＵＥの合成層再構成情報を第２受益ＵＥの無線ベアラ情報に従って構成し、その結果として第１サポートＵＥが、第１合成ベアラを削除し、第１サポートＵＥの合成層再構成情報に従って第２サポートＵＥへの短距離リンクを確立する。
【０２０１】
第１サポートＵＥの合成層再構成情報は、ベアラ識別子と第１サポートＵＥの無線ベアラとの間のマッピング関係である、第１サポートＵＥのために基地局により構成されたマッピング関係を含む。
【０２０２】
４３６。第２サポートＵＥが第２受益ＵＥへの短距離リンクを確立する。
【０２０３】
具体的には、第２受益ＵＥが第１受益ＵＥを含む場合、第１受益ＵＥが第１受益ＵＥの短距離リンク調整情報を受信した後に第１受益ＵＥの短距離リンク調整情報に従って、短距離リンクのサポートＵＥが第２サポートＵＥとなるよう調整される。
【０２０４】
第２受益ＵＥが第１サポートＵＥを含む場合、第１サポートＵＥが第１サポートＵＥの合成層再構成情報を受信した後に、第１サポートＵＥは、第１受益ＵＥと第１サポートＵＥとの間の短距離リンクを確立するのと同じやり方で、第１サポートＵＥの合成層再構成情報に従って第２サポートＵＥへの短距離リンクを確立する。段階４１１が参照され得、繰り返しの説明はここではさらには示されない。
【０２０５】
４３７。基地局が第２受益ＵＥを非同期接続状態へと変化させる。
【０２０６】
具体的には、基地局は、第１ＵＥを同期接続状態から非同期接続状態へと変化させるのと同じやり方で、第２受益ＵＥを同期接続状態から非同期接続状態へと変化させる。段階４１０が参照され得、繰り返しの説明はここではさらには示されない。
【０２０７】
本願発明の実施形態で提供される無線リンク確立方法において、基地局は、第１サポートＵＥを決定し、第１サポートＵＥの第１受益ＵＥを決定し、そして、第１受益ＵＥの無線ベアラに従って、第１サポートＵＥの合成層情報と第１サポートＵＥの第１合成ベアラ情報とを構成し、第１受益ＵＥのために第１受益ＵＥの合成層情報を構成する。このように、第１サポートＵＥは、第１サポートＵＥの第１合成ベアラ情報に従って第１合成ベアラを確立し得る。第１サポートＵＥは第１サポートＵＥの合成層情報に従って、第１受益ＵＥは第１受益ＵＥの合成層情報に従って、第１サポートＵＥと第１受益ＵＥとの間の短距離リンクを確立する。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。第１サポートＵＥを変更することを決定するとき、基地局は第１サポートＵＥを第２サポートＵＥへ変更し、したがって、第２サポートＵＥによりサーブされる第２受益ＵＥが非同期接続状態である場合、データが第２サポートＵＥを通じて基地局へ送信され得、基地局は、同期接続状態への変化の必要なしに第２サポートＵＥを通じてデータを第２受益ＵＥへ送信し得、これによりさらに、無線リンクのオーバーヘッドが節約され、システム効率が改善される。
【０２０８】
本願発明の実施形態は基地局を提供する。図８に示されるように、基地局は、第１サポートＵＥを決定するよう適合させられている決定ユニット８０１を備え、
決定ユニット８０１はさらに、第１サポートＵＥによりサーブされる第１受益ＵＥを決定するよう適合させられ、
基地局はさらに構成ユニット８０２を備え、
構成ユニット８０２は、第１サポートＵＥのために第１サポートＵＥの合成層情報と、第１サポートＵＥの第１合成ベアラ情報とを第１受益ＵＥの無線ベアラ情報に従って構成し、その結果として第１サポートＵＥが、第１サポートＵＥの第１合成ベアラ情報に従って第１合成ベアラを確立し、第１サポートＵＥの合成層情報に従って第１受益ＵＥへの短距離リンクを確立し、第１サポートＵＥが、短距離リンク上で第１受益ＵＥにより送信されたアップリンクデータを受信して第１合成ベアラ上で基地局へアップリンクデータを送信する、または、第１合成ベアラ上で基地局により送信されたダウンリンクデータを受信して短距離リンク上で第１受益ＵＥへダウンリンクデータを送信するよう適合させられ、
第１サポートＵＥの合成層情報は、ベアラ識別子と第１合成ベアラとの間のマッピング関係である、第１サポートＵＥのために基地局により構成されたマッピング関係を含む。
【０２０９】
第１合成ベアラ情報は、第１サポートＵＥにより確立される必要がある無線ベアラである、第１受益ＵＥの無線ベアラと同じである無線ベアラについての情報である。
【０２１０】
任意で、ベアラ識別子は短距離ベアラを含む。
【０２１１】
ベアラ識別子は基地局により構成され、受益ＵＥの無線ベアラとサポートＵＥの合成ベアラとの間の１対１のマッピング関係をマーク付けする。
【０２１２】
なお、第１合成ベアラは第１サポートＵＥにより確立され、第１受益ＵＥのデータを送信するための無線ベアラである。
【０２１３】
構成ユニット８０２はさらに、第１受益ＵＥのために第１受益ＵＥの合成層情報を第１受益ＵＥの無線ベアラ情報に従って構成し、その結果として第１受益ＵＥが、第１受益ＵＥの合成層情報に従って第１サポートＵＥへの短距離リンクを確立し、第１受益ＵＥが、短距離リンク上で第１サポートＵＥへアップリンクデータを送信する、または、短距離リンク上で第１サポートＵＥにより送信されたダウンリンクデータを受信するよう適合させられている。
【０２１４】
第１受益ＵＥの合成層情報は、ベアラ識別子と第１受益ＵＥの無線ベアラとの間のマッピング関係である、第１受益ＵＥのために基地局により構成されたマッピング関係を含む。
【０２１５】
構成ユニット８０２はさらに、基地局の合成層情報を第１受益ＵＥの無線ベアラ情報に従って構成するよう適合させられている。
【０２１６】
基地局の合成層情報は、ベアラ識別子により識別される第１合成ベアラと無線ベアラとの間のマッピング関係を含む。
【０２１７】
図９に示されるように、基地局はさらに、第１ＵＥにより送信された無線リソース制御ＲＲＣプロトコル接続確立要求メッセージを受信するよう適合させられている送受信ユニット８０３を含む。
【０２１８】
ＲＲＣ接続確立要求メッセージは、少なくとも１つのサポート識別子を伝達する。
【０２１９】
決定ユニット８０１は具体的には、少なくとも１つのサポート識別子が第１サポートＵＥのサポート識別子を含む場合、第１ＵＥが第１サポートＵＥによりサーブされる第１受益ＵＥであると決定するよう適合させられている。
【０２２０】
さらに、送受信ユニット８０３はさらに、第１サポートＵＥが第１アプリケーションを実行していない場合、トリガメッセージを第１サポートＵＥへ送信するよう適合させられている。
【０２２１】
トリガメッセージは、基地局により選択されたサポートＵＥに第１アプリケーションを実行するよう命令するためのメッセージである。第１アプリケーションは、サポートＵＥにより実行されるアプリケーションである。
【０２２２】
図１０に示されるように、基地局はさらに、第１受益ＵＥへタイムアライメントＴＡ情報を事前設定された時間内に送信せず、第１受益ＵＥが非同期接続状態へと変化するよう適合させられているプロセッシングユニット８０４を含む。
【０２２３】
送受信ユニット８０３はさらに、第１サポートＵＥにより送信されたアップリンクデータを受信するよう適合させられている。
【０２２４】
アップリンクデータは第１ベアラ識別子を伝達する。
【０２２５】
決定ユニット８０１は具体的には、アップリンクデータに含まれる第１ベアラ識別子と基地局の合成層情報とに従って、アップリンクデータを送信する第１受益ＵＥの無線ベアラである、第１ベアラ識別子に対応する無線ベアラを決定するよう適合させられている。
【０２２６】
さらに、送受信ユニット８０３はさらに、ダウンリンクデータを第１サポートＵＥへ送信するよう適合させられている。
【０２２７】
ダウンリンクデータは第２ベアラ識別子を伝達し、したがって、第１サポートＵＥは、第２ベアラ識別子に従って第２ベアラ識別子に対応する第１合成ベアラを決定し、第２ベアラ識別子に対応する第１合成ベアラを用いてダウンリンクデータを受信し、第１サポートＵＥがダウンリンクデータを、第２ベアラ識別子に対応する第１合成ベアラに対応する短距離リンク上で、対応する第１受益ＵＥへ送信するようになる。
【０２２８】
さらに、プロセッシングユニット８０４はさらに、第１サポートＵＥが変更される必要があると決定された場合、第１サポートＵＥを変更する手順を開始するよう適合させられている。
【０２２９】
具体的には、プロセッシングユニットは８０４は具体的には、第１サポートＵＥのマクロネットワークリンクである、第１サポートＵＥと基地局との間の通信リンクであるマクロネットワークリンクを検出し、マクロネットワークリンクの品質指標が第１事前設定値より低いと検出された場合に第１サポートＵＥを変更することを決定する、または、
第１受益ＵＥにより送信された短距離リンク品質報告を受信し、短距離リンクの品質指標が第２事前設定値より低いと短距離リンク品質報告が記録している場合に第１サポートＵＥを変更することを決定する、または、
第１サポートＵＥにより送信された短距離リンク品質報告を受信し、短距離リンクの品質指標が第３事前設定値より低いと短距離リンク品質報告が記録している場合、第１サポートＵＥを変更することを決定するよう適合させられている。
【０２３０】
なお、第１事前設定値、第２事前設定値、および第３事前設定値は事前設定されている。
【０２３１】
さらに、プロセッシングユニット８０４は具体的には、決定ユニット８０１による第２サポートＵＥの決定をトリガするよう適合させられいる。
【０２３２】
決定ユニット８０１はさらに、第２サポートＵＥを決定するよう適合させられている。
【０２３３】
決定ユニット８０１はさらに、第２サポートＵＥによりサーブされる第２受益ＵＥを決定するよう適合させられている。
【０２３４】
第２受益ＵＥは、第１サポートＵＥと第１受益ＵＥとのうち少なくとも１つを含む。
【０２３５】
構成ユニット８０２はさらに、第２サポートＵＥのために第２サポートＵＥの合成層情報と、第２サポートＵＥの第２合成ベアラ情報とを第２受益ＵＥの無線ベアラ情報に従って構成し、その結果として第２サポートＵＥが、第２サポートＵＥの第２合成ベアラ情報に従って第２合成ベアラを確立し、第２サポートＵＥの合成層情報に従って第２受益ＵＥへの短距離リンクを確立するよう適合させられている。
【０２３６】
第２サポートＵＥの合成層情報は、ベアラ識別子と第２合成ベアラとの間のマッピング関係である、第２サポートＵＥのために基地局により構成されたマッピング関係を含む。
【０２３７】
第２合成ベアラ情報は、第２サポートＵＥにより確立される必要がある無線ベアラである、第２受益ＵＥの無線ベアラと同じである無線ベアラについての情報である。
【０２３８】
任意で、ベアラ識別子は短距離ベアラを含む。
【０２３９】
構成ユニット８０２はさらに、第２受益ＵＥの無線ベアラ情報に従って、基地局の合成層情報を更新するよう適合させられている。
【０２４０】
構成ユニット８０２はさらに、第２受益ＵＥが第１受益ＵＥを含む場合、第１受益ＵＥのために第１受益ＵＥの短距離リンク調整情報を第２受益ＵＥの無線ベアラ情報に従って構成し、その結果として第１受益ＵＥが、第１受益ＵＥの短距離リンク調整情報に従って、短距離リンクのサポートＵＥが第２サポートＵＥとなるよう調整するよう適合させられている。
【０２４１】
さらに、構成ユニットはさらに、第１受益ＵＥのために第１受益ＵＥの合成層再構成情報を第２受益ＵＥの無線ベアラ情報に従って構成し、その結果として第１受益ＵＥが、第１受益ＵＥの合成層再構成情報に従って第１受益ＵＥの合成層情報を更新するよう適合させられている。
【０２４２】
第１受益ＵＥの短距離リンク調整情報は、第１受益ＵＥのために構成された情報である、第１サポートＵＥと接続された短距離リンクから第２サポートＵＥと接続された短距離リンクへと調整するよう第１受益ＵＥに命令することを意図された情報を含む。
【０２４３】
第２受益ＵＥが第１サポートＵＥを含む場合、第１サポートＵＥのために第１サポートＵＥの合成層再構成情報を第２受益ＵＥの無線ベアラ情報に従って構成し、その結果として第１サポートＵＥが、第１合成ベアラを削除し、第１サポートＵＥの合成層再構成情報に従って第２サポートＵＥへの短距離リンクを確立する。
【０２４４】
第１サポートＵＥの合成層再構成情報は、ベアラ識別子と第１サポートＵＥの無線ベアラとの間のマッピング関係である、第１サポートＵＥのために基地局により構成されたマッピング関係を含む。
【０２４５】
送受信ユニット８０３はさらに、第２サポートＵＥが第１アプリケーションを実行していない場合、第２サポートＵＥへトリガメッセージを送信するよう適合させられている。
【０２４６】
本願発明の実施形態で提供される基地局にいて、基地局は、第１サポートＵＥを決定し、第１サポートＵＥの第１受益ＵＥを決定し、そして、第１受益ＵＥの無線ベアラに従って、第１サポートＵＥの合成層情報と第１サポートＵＥの第１合成ベアラ情報とを構成し、第１受益ＵＥのために第１受益ＵＥの合成層情報を構成する。このように、第１サポートＵＥは、第１サポートＵＥの第１合成ベアラ情報に従って第１合成ベアラを確立し得る。第１サポートＵＥは第１サポートＵＥの合成層情報に従って、第１受益ＵＥは第１受益ＵＥの合成層情報に従って、第１サポートＵＥと第１受益ＵＥとの間の短距離リンクを確立する。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。
【０２４７】
本願発明の実施形態はサポートＵＥを提供する。図１１に示されるように、サポートＵＥは、基地局により送信された第１サポートＵＥの合成層情報と第１サポートＵＥの第１合成ベアラ情報とを受信するよう適合させられた送受信ユニット１００１を備え、
第１サポートＵＥの合成層情報は、ベアラ識別子と第１合成ベアラとの間のマッピング関係である、第１サポートＵＥのために基地局により構成されたマッピング関係を含み、
サポートＵＥはさらに、第１サポートＵＥの合成層情報に従って第１受益ＵＥへの短距離リンクを確立し、第１サポートＵＥの第１合成ベアラ情報に従って第１合成ベアラを確立するよう適合させられたプロセッシングユニット１００２を備える。
【０２４８】
送受信ユニット１００１はさらに、基地局により送信されたトリガメッセージを受信するよう適合させられている。
【０２４９】
トリガメッセージは、基地局により選択されたサポートＵＥに第１アプリケーションを実行するよう命令するためのメッセージである。第１アプリケーションは、サポートＵＥにより実行されるアプリケーションである。
【０２５０】
送受信ユニット１００１はさらに、短距離リンク上で第１受益ＵＥにより送信されたアップリンクデータを受信するよう適合させられている。
【０２５１】
アップリンクデータは第１ベアラ識別子を伝達する。
【０２５２】
プロセッシングユニット１００２はさらに、第１ベアラ識別子と第１サポートＵＥの合成層情報とに従って第１ベアラ識別子に対応する第１合成ベアラを決定するよう適合させられている。
【０２５３】
送受信ユニット１００１はさらに、第１ベアラ識別子に対応する第１合成ベアラ上で基地局へアップリンクデータを送信するよう適合させられている。
【０２５４】
送受信ユニット１００１はさらに、基地局により送信されたダウンリンクデータを受信するよう適合させられている。
【０２５５】
ダウンリンクデータは第２ベアラ識別子を伝達する。
【０２５６】
プロセッシングユニット１００２はさらに、第２ベアラ識別子と第１サポートＵＥの合成層情報とに従って第２ベアラ識別子に対応する第１合成ベアラを決定するよう適合させられている。
【０２５７】
送受信ユニット１００１はさらに、第２ベアラ識別子に対応する第１合成ベアラ、および第２ベアラ識別子に対応する第１合成ベアラに対応する短距離リンク上で、対応する第１受益ＵＥへダウンリンクデータを送信するよう適合される。
【０２５８】
プロセッシングユニット１００２はさらに、短距離リンクを検出するよう適合させられている。
【０２５９】
送受信ユニット１００１はさらに、短距離リンクの品質指標が第３事前設定値より低いと検出された場合、短距離リンク品質報告を基地局へ送信するよう適合させられている。
【０２６０】
送受信ユニット１００１はさらに、基地局により送信された第１サポートＵＥの合成層再構成情報を受信するよう適合させられている。
【０２６１】
第１サポートＵＥの合成層再構成情報は、ベアラ識別子と第１サポートＵＥの無線ベアラとの間のマッピング関係である、第１サポートＵＥのために基地局により構成されたマッピング関係を含む。
【０２６２】
プロセッシングユニット１００２はさらに、第１合成ベアラを削除するよう適合させられている。
【０２６３】
プロセッシングユニット１００２はさらに、第１サポートＵＥの合成層再構成情報に従って、第２サポートＵＥへの短距離リンクを確立するよう適合させられている。
【０２６４】
本願発明の実施形態で提供されるサポートＵＥにおいて、基地局により送信された第１サポートＵＥの合成層情報と、第１サポートＵＥの第１合成ベアラ情報を受信した後に、基地局は、第１サポートＵＥの合成層情報に従って、第１受益ＵＥへの短距離リンクを確立し、第１サポートＵＥの第１合成ベアラ情報に従って第１合成ベアラを確立し、第１受益ＵＥのデータ情報が転送されるようにする。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。
【０２６５】
本願発明の実施形態は受益ＵＥを提供する。図１２に示されるように、サポートＵＥは、基地局により送信された第１受益ＵＥの合成層情報を受信するよう適合させられた送受信ユニット１１１を備え、
第１受益ＵＥの合成層情報は、ベアラ識別子と第１受益ＵＥの無線ベアラとの間のマッピング関係である、第１受益ＵＥのために基地局により構成されたマッピング関係を含み、
サポートＵＥはさらに、第１受益ＵＥの合成層情報に従って第１サポートＵＥへの短距離リンクを確立するよう適合させられたプロセッシングユニット１１２を備える。
【０２６６】
プロセッシングユニット１１２はさらに、少なくとも１つのサポート識別子を取得するよう適合させられている。
【０２６７】
送受信ユニット１１１はさらに、無線リソース制御ＲＲＣプロトコル接続確立要求メッセージを基地局へ送信するよう適合させられている。
【０２６８】
ＲＲＣ接続確立要求メッセージは、サポートＵＥの少なくとも１つのサポート識別子を伝達する。
【０２６９】
プロセッシングユニット１１２はさらに、第１受益ＵＥの合成層情報に従って、アップリンクデータを送信する必要がある無線ベアラに対応する第１ベアラ識別子を決定するよう適合させられている。
【０２７０】
プロセッシングユニット１１２はさらに、第１ベアラ識別子をアップリンクデータへ追加するよう適合させられている。
【０２７１】
送受信ユニット１１１はさらに、無線ベアラ、および無線ベアラに対応する短距離リンク上で、アップリンクデータを第１サポートＵＥへ送信するよう適合させられている。
【０２７２】
プロセッシングユニット１１２はさらに、短距離リンク上で第１サポートＵＥにより送信されたダウンリンクデータを受信するよう適合させられている。
【０２７３】
ダウンリンクデータは第２ベアラ識別子を伝達する。
【０２７４】
プロセッシングユニット１１２はさらに、第２ベアラ識別子と第１受益ＵＥの合成層情報とに従って第２ベアラ識別子に対応する無線ベアラを決定するよう適合させられている。
【０２７５】
送受信ユニット１１１はさらに、第２ベアラ識別子に対応する無線ベアラ上でダウンリンクデータを受信するよう適合させられている。
【０２７６】
プロセッシングユニット１１２はさらに、短距離リンクを検出するよう適合させられている。
【０２７７】
プロセッシングユニット１１２はさらに、短距離リンクの品質指標が第２事前設定値より低いと検出された場合、非同期接続状態から同期接続状態へと変化するよう適合させられている。
【０２７８】
送受信ユニット１１１はさらに、短距離リンク品質報告を基地局へ送信するよう適合させられている。
【０２７９】
送受信ユニット１１１はさらに、基地局により送信された第１受益ＵＥの短距離リンク調整情報を受信するよう適合させられている。
【０２８０】
第１受益ＵＥの短距離リンク調整情報は、第１受益ＵＥのために構成された情報であり、第１サポートＵＥと接続された短距離リンクから第２サポートＵＥと接続された短距離リンクへと調整するよう第１受益ＵＥに命令することを意図された情報を含む。
【０２８１】
プロセッシングユニット１１２はさらに、第１受益ＵＥの短距離リンク調整情報に従って、短距離リンクのサポートＵＥを第１サポートＵＥから第２サポートＵＥへと調整するよう適合させられている。
【０２８２】
送受信ユニット１１１はさらに、第１受益ＵＥの合成層再構成情報を基地局から受信するよう適合させられている。
【０２８３】
プロセッシングユニット１１２はさらに、第１受益ＵＥの合成層再構成情報に従って、第１受益ＵＥの合成層情報を更新するよう適合させられている。
【０２８４】
本願発明の実施形態で提供される受益ＵＥにおいて、第１受益ＵＥは、基地局により送信された第１受益ＵＥの合成層情報を受信し、第１受益ＵＥの合成層情報に従って、第１サポートＵＥへの短距離リンクを確立する。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。
【０２８５】
図１３に示されるように、無線リンク確立システムは、基地局１２１と、受益ＵＥ１２２と、サポートＵＥ１２３とを含む。
【０２８６】
基地局１２１は先述の実施形態に説明された基地局１２１であり、サポートＵＥは、先述の実施形態に説明されたサポートＵＥ１２２であり、受益ＵＥは、先述の実施形態に説明された受益ＵＥ１２３である。
【０２８７】
本願発明の複数の実施形態で提供される無線リンク確立方法、装置、およびシステムにおいて、基地局は、第１サポートＵＥを決定し、第１サポートＵＥの第１受益ＵＥを決定し、そして、第１受益ＵＥの無線ベアラに従って、第１サポートＵＥの合成層情報と第１サポートＵＥの第１合成ベアラ情報とを構成し、第１受益ＵＥのために第１受益ＵＥの合成層情報を構成する。このように、第１サポートＵＥは、第１サポートＵＥの第１合成ベアラ情報に従って第１合成ベアラを確立し得る。第１サポートＵＥは第１サポートＵＥの合成層情報に従って、第１受益ＵＥは第１受益ＵＥの合成層情報に従って、第１サポートＵＥと第１受益ＵＥとの間の短距離リンクを確立する。このように、第１受益ＵＥが非同期接続状態にある場合、同期接続状態へと変化するよう第１受益ＵＥに要求することなく、第１サポートＵＥはデータを基地局へ送信し得、基地局は第１サポートＵＥを用いることによりデータを第１受益ＵＥへ送信し、それにより無線リンクのオーバーヘッドが節約され、システム効率が改善される。第１サポートＵＥを変更することを決定するとき、基地局は第１サポートＵＥを第２サポートＵＥへ変更し、したがって、第２サポートＵＥによりサーブされる第２受益ＵＥが非同期接続状態である場合、同期接続状態への変化の必要なしに、データが第２サポートＵＥを通じて基地局へ送信され得、基地局は第２サポートＵＥを通じてデータを第２受益ＵＥへ送信し得、これによりさらに、無線リンクのオーバーヘッドが節約され、システム効率が改善される。
【０２８８】
上述の説明は単に、本願発明の特定の実施形態であり、本願発明の保護範囲を限定することを意図されていない。本願発明において開示される技術範囲内で当業者により容易に理解される変更または置き換えは、本願発明の保護範囲に含まれる。したがって、本願発明の保護範囲は、請求項の保護範囲を前提としている。
［項目１］
無線リンク確立方法であって、
第１サポートＵＥを決定する段階と、
上記第１サポートＵＥによりサーブされる第１受益ＵＥを決定する段階と、
上記第１サポートＵＥのために上記第１サポートＵＥの合成層情報と、上記第１サポートＵＥの第１合成ベアラ情報とを上記第１受益ＵＥの無線ベアラ情報に従って構成し、上記第１サポートＵＥが、上記第１サポートＵＥの上記第１合成ベアラ情報に従って第１合成ベアラを確立し、上記第１サポートＵＥの上記合成層情報に従って上記第１受益ＵＥへの短距離リンクを確立し、上記第１サポートＵＥが、上記短距離リンク上で上記第１受益ＵＥにより送信されたアップリンクデータを受信して上記第１合成ベアラ上で基地局へ上記アップリンクデータを送信する、または、上記第１合成ベアラ上で上記基地局により送信されたダウンリンクデータを受信して上記短距離リンク上で上記第１受益ＵＥへ上記ダウンリンクデータを送信するようになる段階と、
上記第１受益ＵＥのために上記第１受益ＵＥの合成層情報を上記第１受益ＵＥの上記無線ベアラ情報に従って構成し、その結果として上記第１受益ＵＥが、上記第１受益ＵＥの上記合成層情報に従って上記第１サポートＵＥへの短距離リンクを確立し、上記第１受益ＵＥが、上記短距離リンク上で上記第１サポートＵＥへ上記アップリンクデータを送信する、または、上記短距離リンク上で上記第１サポートＵＥにより送信されたダウンリンクデータを受信するようになる段階と、
上記基地局の合成層情報を上記第１受益ＵＥの上記無線ベアラ情報に従って構成する段階と
を備える、無線リンク確立方法。
［項目２］
上記第１サポートＵＥの上記合成層情報は、ベアラ識別子と上記第１合成ベアラとの間のマッピング関係である、上記第１サポートＵＥのために上記基地局により構成された上記マッピング関係を含み、
上記第１受益ＵＥの上記合成層情報は、上記ベアラ識別子と上記第１受益ＵＥの無線ベアラとの間のマッピング関係である、上記第１受益ＵＥのために上記基地局により構成された上記マッピング関係を含み、
上記基地局の合成層情報は、上記ベアラ識別子により識別される上記第１合成ベアラと上記無線ベアラとの間のマッピング関係を含む、項目１に記載の無線リンク確立方法。
［項目３］
上記第１サポートＵＥによりサーブされる第１受益ＵＥを決定する上記段階の前に、上記無線リンク確立方法はさらに、第１ＵＥにより送信された無線リソース制御プロトコル接続ＲＲＣ確立要求メッセージである、少なくとも１つのサポート識別子を伝達する上記ＲＲＣ確立要求メッセージを受信する段階を備え、
上記第１サポートＵＥによりサーブされる第１受益ＵＥを決定する上記段階は、上記少なくとも１つのサポート識別子が上記第１サポートＵＥのサポート識別子を含む場合、上記第１ＵＥが上記第１サポートＵＥによりサーブされる上記第１受益ＵＥであると決定する段階を有する、項目１または２に記載の無線リンク確立方法。
［項目４］
上記第１受益ＵＥへ第２ＲＲＣ再構成メッセージを送信する上記段階の後に、上記無線リンク確立方法はさらに、上記第１受益ＵＥへタイムアライメントＴＡ情報を事前設定された時間内に送信せず、上記第１受益ＵＥが非同期接続状態へと変化するようになる段階を備える、項目１から３のいずれか一項に記載の無線リンク確立方法。
［項目５］
上記無線リンク確立方法はさらに、
上記第１サポートＵＥにより送信されたアップリンクデータである、第１ベアラ識別子を伝達する上記アップリンクデータを受信する段階と、
上記アップリンクデータで伝達される上記第１ベアラ識別子と上記基地局の合成層情報とに従って、上記アップリンクデータを送信する上記第１受益ＵＥの無線ベアラである、上記第１ベアラ識別子に対応する上記無線ベアラを決定する段階と
を備える、項目１から４のいずれか一項に記載の無線リンク確立方法。
［項目６］
上記無線リンク確立方法はさらに、
第２ベアラ識別子を伝達するダウンリンクデータを上記第１サポートＵＥへ送信し、その結果として上記第１サポートＵＥが、上記第２ベアラ識別子に従って上記第２ベアラ識別子に対応する第１合成ベアラを決定し、上記第２ベアラ識別子に対応する上記第１合成ベアラを用いることにより上記ダウンリンクデータを受信し、上記第１サポートＵＥが、上記第２ベアラ識別子に対応する上記第１合成ベアラに対応する短距離リンク上で、対応する第１受益ＵＥへ上記ダウンリンクデータを送信するようになる段階を備える、項目１から５のいずれか一項に記載の無線リンク確立方法。
［項目７］
第１サポートＵＥを決定する上記段階の後に、上記無線リンク確立方法はさらに、上記サポートＵＥにより実行されるアプリケーションである第１アプリケーションを上記第１サポートＵＥが実行していない場合、上記基地局により選択された上記サポートＵＥに上記第１アプリケーションを実行するよう命令するためのメッセージであるトリガメッセージを上記第１サポートＵＥへ送信する段階を備える、項目１から６のいずれか一項に記載の無線リンク確立方法。
［項目８］
上記無線リンク確立方法はさらに、上記第１サポートＵＥが変更される必要があると決定された場合、上記第１サポートＵＥを変更する手順を開始する段階を備える、項目１から７のいずれか一項に記載の無線リンク確立方法。
［項目９］
上記第１サポートＵＥが変更される必要があると決定することは、
上記第１サポートＵＥのマクロネットワークリンクである、上記第１サポートＵＥと上記基地局との間の通信リンクである上記マクロネットワークリンクを検出し、上記マクロネットワークリンクの品質指標が第１事前設定値より低いと検出された場合に上記第１サポートＵＥを変更することを決定すること、または、
上記第１受益ＵＥにより送信された短距離リンク品質報告を受信し、上記短距離リンクの品質指標が第２事前設定値より低いと上記短距離リンク品質報告が記録している場合に上記第１サポートＵＥを変更することを決定すること、または、
上記第１サポートＵＥにより送信された短距離リンク品質報告を受信し、上記短距離リンクの品質指標が第３事前設定値より低いと上記短距離リンク品質報告が記録している場合、上記第１サポートＵＥを変更することを決定すること
を含む、項目８に記載の無線リンク確立方法。
［項目１０］
上記第１サポートＵＥを変更する手順を開始する上記段階は、
第２サポートＵＥを決定する段階と、
上記第２サポートＵＥによりサーブされる第２受益ＵＥである、上記第１サポートＵＥと上記第１受益ＵＥとのうち少なくとも１つを含む上記第２受益ＵＥを決定する段階と、
上記第２サポートＵＥのために上記第２サポートＵＥの合成層情報と、上記第２サポートＵＥの第２合成ベアラ情報とを上記第２受益ＵＥの無線ベアラ情報に従って構成し、その結果として上記第２サポートＵＥが、上記第２サポートＵＥの上記第２合成ベアラ情報に従って第２合成ベアラを確立し、上記第２サポートＵＥの上記合成層情報に従って上記第２受益ＵＥへの短距離リンクを確立する段階と、
上記第２受益ＵＥの上記無線ベアラ情報に従って、上記基地局の合成層情報を更新する段階と、
上記第２受益ＵＥが上記第１受益ＵＥを含む場合、上記第１受益ＵＥのために上記第１受益ＵＥの短距離リンク調整情報を上記第２受益ＵＥの上記無線ベアラ情報に従って構成し、その結果として上記第１受益ＵＥが、上記第１受益ＵＥの上記短距離リンク調整情報に従って上記短距離リンクのサポートＵＥが上記第２サポートＵＥとなるよう調整する段階と、
上記第２受益ＵＥが上記第１サポートＵＥを含む場合、上記第１サポートＵＥのために上記第１サポートＵＥの合成層再構成情報を上記第２受益ＵＥの上記無線ベアラ情報に従って構成し、その結果として上記第１サポートＵＥが、上記第１合成ベアラを削除し、上記第１サポートＵＥの上記合成層再構成情報に従って上記第２サポートＵＥへの短距離リンクを確立する段階と
を有する、項目８または９に記載の無線リンク確立方法。
［項目１１］
上記無線リンク確立方法はさらに、
上記第２受益ＵＥが上記第１受益ＵＥを含む場合、上記第１受益ＵＥのために上記第１受益ＵＥの合成層再構成情報を上記第２受益ＵＥの上記無線ベアラ情報に従って構成し、その結果として上記第１受益ＵＥが、上記第１受益ＵＥの上記合成層再構成情報に従って上記第１受益ＵＥの上記合成層情報を更新する段階を備える、項目１０に記載の無線リンク確立方法。
［項目１２］
上記第２サポートＵＥを決定する上記段階の後に、上記無線リンク確立方法はさらに、上記第２サポートＵＥが上記第１アプリケーションを実行していない場合、上記第２サポートＵＥへトリガメッセージを送信する段階を備える、項目１０または１１に記載の無線リンク確立方法。
［項目１３］
無線リンク確立方法であって、
上記無線リンク確立方法は、基地局により送信された第１サポートＵＥの合成層情報と上記第１サポートＵＥの第１合成ベアラ情報とを受信する段階を備え、
上記第１サポートＵＥの上記合成層情報は、ベアラ識別子と第１合成ベアラとの間のマッピング関係である、上記第１サポートＵＥのために上記基地局により構成された上記マッピング関係を含み、
上記無線リンク確立方法はさらに、上記第１サポートＵＥの上記合成層情報に従って第１受益ＵＥへの短距離リンクを確立し、上記第１サポートＵＥの上記第１合成ベアラ情報に従って第１合成ベアラを確立する段階を備える、無線リンク確立方法。
［項目１４］
上記無線リンク確立方法はさらに、
上記短距離リンク上で上記第１受益ＵＥにより送信されたアップリンクデータである、第１ベアラ識別子を伝達する上記アップリンクデータを受信する段階と、
上記第１ベアラ識別子と上記第１サポートＵＥの上記合成層情報とに従って上記第１ベアラ識別子に対応する第１合成ベアラを決定する段階と、
上記第１ベアラ識別子に対応する上記第１合成ベアラ上で上記基地局へ上記アップリンクデータを送信する段階と
を備える、項目１３に記載の無線リンク確立方法。
［項目１５］
上記無線リンク確立方法はさらに、
上記基地局により送信されたダウンリンクデータである、第２ベアラ識別子を伝達する上記ダウンリンクデータを受信する段階と、
上記第２ベアラ識別子と上記第１サポートＵＥの上記合成層情報とに従って上記第２ベアラ識別子に対応する第１合成ベアラを決定する段階と、
上記第２ベアラ識別子に対応する上記第１合成ベアラ、および上記第２ベアラ識別子に対応する上記第１合成ベアラに対応する短距離リンク上で、対応する第１受益ＵＥへ上記ダウンリンクデータを送信する段階と
を備える、項目１３または１４に記載の無線リンク確立方法。
［項目１６］
上記短距離リンクを検出する段階と、
上記短距離リンクの品質指標が第３事前設定値より低いと検出された場合、短距離リンク品質報告を上記基地局へ送信する段階と
をさらに備える、項目１３から１５のいずれか一項に記載の無線リンク確立方法。
［項目１７］
上記無線リンク確立方法はさらに、
上記基地局により送信された上記第１サポートＵＥの合成層再構成情報を受信する段階と、
上記第１合成ベアラを削除する段階と、
上記第１サポートＵＥの上記合成層再構成情報に従って、第２サポートＵＥへの短距離リンクを確立する段階と
を備える、項目１３から１６のいずれか一項に記載の無線リンク確立方法。
［項目１８］
上記無線リンク確立方法はさらに、上記基地局により送信されたトリガメッセージである、上記サポートＵＥにより実行されるアプリケーションである第１アプリケーションを上記基地局により選択された上記サポートＵＥに実行するよう命令するためのメッセージである上記トリガメッセージを受信する段階を備える、項目１３から１７のいずれか一項に記載の無線リンク確立方法。
［項目１９］
無線リンク確立方法であって、
上記無線リンク確立方法は、基地局により送信された第１受益ＵＥの合成層情報を受信する段階を備え、
上記第１受益ＵＥの上記合成層情報は、ベアラ識別子と上記第１受益ＵＥの無線ベアラとの間のマッピング関係である、上記第１受益ＵＥのために上記基地局により構成された上記マッピング関係を含み、
上記無線リンク確立方法はさらに、上記第１受益ＵＥの上記合成層情報に従って第１サポートＵＥへの短距離リンクを確立する段階を備える、無線リンク確立方法。
［項目２０］
基地局により送信された第１受益ＵＥの合成層情報を受信する上記段階の前に、上記無線リンク確立方法はさらに、
少なくとも１つのサポート識別子を取得する段階と、
上記サポートＵＥの少なくとも１つのサポート識別子を伝達する無線リソース制御プロトコル接続ＲＲＣ確立要求メッセージを上記基地局へ送信する段階と
を備える、項目１９に記載の無線リンク確立方法。
［項目２１］
上記第１受益ＵＥの上記合成層情報に従って、アップリンクデータを送信する必要がある無線ベアラに対応する第１ベアラ識別子を決定する段階と、
上記第１ベアラ識別子を上記アップリンクデータへ追加する段階と、
上記アップリンクデータを送信する必要がある上記無線ベアラ、および上記アップリンクデータを送信する必要がある上記無線ベアラに対応する短距離リンク上で、上記アップリンクデータを上記第１サポートＵＥへ送信する段階と
をさらに備える、項目１９または２０に記載の無線リンク確立方法。
［項目２２］
上記短距離リンク上で上記第１サポートＵＥにより送信されたダウンリンクデータである、第２ベアラ識別子を伝達する上記ダウンリンクデータを受信する段階と、
上記第２ベアラ識別子と上記第１受益ＵＥの上記合成層情報とに従って上記第２ベアラ識別子に対応する無線ベアラを決定する段階と、
上記第２ベアラ識別子に対応する上記無線ベアラ上で上記ダウンリンクデータを受信する段階と
をさらに備える、項目１９から２１のいずれか一項に記載の無線リンク確立方法。
［項目２３］
上記短距離リンクを検出する段階と、
上記短距離リンクの品質指標が第２事前設定値より低いと検出された場合、非同期接続状態から同期接続状態に変更して、短距離リンク品質報告を上記基地局へ送信する段階と
をさらに備える、項目１９から２２のいずれか一項に記載の無線リンク確立方法。
［項目２４］
上記基地局により送信された上記第１受益ＵＥの短距離リンク調整情報を受信する段階と、
上記第１受益ＵＥの上記短距離リンク調整情報に従って、上記短距離リンクのサポートＵＥが上記第１サポートＵＥから第２サポートＵＥとなるよう調整する段階と
をさらに備える、項目１９から２３のいずれか一項に記載の無線リンク確立方法。
［項目２５］
上記無線リンク確立方法はさらに、
上記基地局により送信された上記第１受益ＵＥの合成層再構成情報を受信する段階と、
上記第１受益ＵＥの上記合成層再構成情報に従って、上記第１受益ＵＥの上記合成層情報を更新する段階と
を備える、項目２４に記載の無線リンク確立方法。
［項目２６］
基地局であって、
上記基地局は、第１サポートＵＥを決定するよう適合させられた決定ユニットを備え、
上記決定ユニットはさらに、上記第１サポートＵＥによりサーブされる第１受益ＵＥを決定するよう適合させられ、
上記基地局はさらに構成ユニットを備え、
上記構成ユニットは、上記第１サポートＵＥのために上記第１サポートＵＥの合成層情報と、上記第１サポートＵＥの第１合成ベアラ情報とを上記第１受益ＵＥの無線ベアラ情報に従って構成し、その結果として上記第１サポートＵＥが、上記第１サポートＵＥの上記第１合成ベアラ情報に従って第１合成ベアラを確立し、上記第１サポートＵＥの上記合成層情報に従って上記第１受益ＵＥへの短距離リンクを確立し、上記第１サポートＵＥが、上記短距離リンク上で上記第１受益ＵＥにより送信されたアップリンクデータを受信して上記第１合成ベアラ上で基地局へ上記アップリンクデータを送信する、または、上記第１合成ベアラ上で上記基地局により送信されたダウンリンクデータを受信して上記短距離リンク上で上記第１受益ＵＥへ上記ダウンリンクデータを送信するよう適合させられ、
上記構成ユニットはさらに、
上記第１受益ＵＥのために上記第１受益ＵＥの合成層情報を上記第１受益ＵＥの上記無線ベアラ情報に従って構成し、その結果として上記第１受益ＵＥが、上記第１受益ＵＥの上記合成層情報に従って上記第１サポートＵＥへの短距離リンクを確立し、上記第１受益ＵＥが、上記短距離リンク上で上記第１サポートＵＥへ上記アップリンクデータを送信する、または、上記短距離リンク上で上記第１サポートＵＥにより送信されたダウンリンクデータを受信するよう適合させられており、
上記構成ユニットはさらに、上記基地局の合成層情報を上記第１受益ＵＥの上記無線ベアラ情報に従って構成するよう適合させられた、基地局。
［項目２７］
上記第１サポートＵＥの上記合成層情報は、ベアラ識別子と上記第１合成ベアラとの間のマッピング関係である、上記第１サポートＵＥのために上記基地局により構成された上記マッピング関係を含み、
上記第１受益ＵＥの上記合成層情報は、上記ベアラ識別子と上記第１受益ＵＥの無線ベアラとの間のマッピング関係である、上記第１受益ＵＥのために上記基地局により構成された上記マッピング関係を含み、
上記基地局の合成層情報は、上記ベアラ識別子により識別される上記第１合成ベアラと上記無線ベアラとの間のマッピング関係を含む、項目２６に記載の基地局。
［項目２８］
第１ＵＥにより送信された無線リソース制御プロトコル接続ＲＲＣ確立要求メッセージである、少なくとも１つのサポート識別子を伝達する上記ＲＲＣ確立要求メッセージを受信するよう適合させられた送受信ユニットをさらに備え、
上記決定ユニットは具体的には、上記少なくとも１つのサポート識別子が上記第１サポートＵＥのサポート識別子を含む場合、上記第１ＵＥが上記第１サポートＵＥによりサーブされる上記第１受益ＵＥであると決定するよう適合させられている、項目２６または２７に記載の基地局。
［項目２９］
上記送受信ユニットはさらに、上記第１サポートＵＥにより送信されたアップリンクデータである、第１ベアラ識別子を伝達する上記アップリンクデータを受信するよう適合させられ、
上記決定ユニットは具体的には、上記アップリンクデータに含まれる上記第１ベアラ識別子と上記基地局の合成層情報とに従って、上記アップリンクデータを送信する上記第１受益ＵＥの無線ベアラである、上記第１ベアラ識別子に対応する上記無線ベアラを決定するよう適合させられている、項目２８に記載の基地局。
［項目３０］
上記送受信ユニットはさらに、第２ベアラ識別子を伝達するダウンリンクデータを上記第１サポートＵＥへ送信し、その結果として上記第１サポートＵＥが、上記第２ベアラ識別子に従って上記第２ベアラ識別子に対応する第１合成ベアラを決定し、上記第２ベアラ識別子に対応する上記第１合成ベアラを用いて上記ダウンリンクデータを受信し、上記第１サポートＵＥが、上記第２ベアラ識別子に対応する上記第１合成ベアラに対応する短距離リンク上で、対応する第１受益ＵＥへ上記ダウンリンクデータを送信するよう適合させられている、項目２８または２９に記載の基地局。
［項目３１］
上記送受信ユニットはさらに、上記サポートＵＥにより実行されるアプリケーションである第１アプリケーションを上記第１サポートＵＥが実行していない場合、上記基地局により選択された上記サポートＵＥに上記第１アプリケーションを実行するよう命令するためのメッセージであるトリガメッセージを上記第１サポートＵＥへ送信するよう適合させられている、項目２８から３０のいずれか一項に記載の基地局。
［項目３２］
上記第１受益ＵＥへタイムアライメントＴＡ情報を事前設定された時間内に送信せず、上記第１受益ＵＥが非同期接続状態へと変化するよう適合させられたプロセッシングユニットをさらに備える、項目２６から３１のいずれか一項に記載の基地局。
［項目３３］
上記プロセッシングユニットはさらに、上記第１サポートＵＥが変更される必要があると決定された場合、上記第１サポートＵＥを変更する手順を開始するよう適合させられている、項目３２に記載の基地局。
［項目３４］
上記プロセッシングユニットは具体的には、
上記第１サポートＵＥのマクロネットワークリンクである、上記第１サポートＵＥと上記基地局との間の通信リンクである上記マクロネットワークリンクを検出し、上記マクロネットワークリンクの品質指標が第１事前設定値より低いと検出された場合に上記第１サポートＵＥを変更することを決定する、または、
上記第１受益ＵＥにより送信された短距離リンク品質報告を受信し、上記短距離リンクの品質指標が第２事前設定値より低いと上記短距離リンク品質報告が記録している場合に上記第１サポートＵＥを変更することを決定する、または、
上記第１サポートＵＥにより送信された短距離リンク品質報告を受信し、上記短距離リンクの品質指標が第３事前設定値より低いと上記短距離リンク品質報告が記録している場合、上記第１サポートＵＥを変更することを決定するよう適合させられている、項目３３に記載の基地局。
［項目３５］
上記プロセッシングユニットは具体的には、上記決定ユニットによる第２サポートＵＥの決定をトリガするよう適合させられ、
上記決定ユニットはさらに、上記第２サポートＵＥを決定するよう適合させられ、
上記決定ユニットはさらに、上記第２サポートＵＥによりサーブされる第２受益ＵＥである、上記第１サポートＵＥと上記第１受益ＵＥとのうち少なくとも１つを含む上記第２受益ＵＥを決定するよう適合させられ、
上記構成ユニットはさらに、上記第２サポートＵＥのために上記第２サポートＵＥの合成層情報と、上記第２サポートＵＥの第２合成ベアラ情報とを上記第２受益ＵＥの無線ベアラ情報に従って構成し、その結果として上記第２サポートＵＥが、上記第２サポートＵＥの上記第２合成ベアラ情報に従って第２合成ベアラを確立し、上記第２サポートＵＥの上記合成層情報に従って上記第２受益ＵＥへの短距離リンクを確立するよう適合させられ、
上記構成ユニットはさらに、上記第２受益ＵＥの上記無線ベアラ情報に従って、上記基地局の合成層情報を更新するよう適合させられ、
上記構成ユニットはさらに、
上記第２受益ＵＥが上記第１受益ＵＥを含む場合、上記第１受益ＵＥのために上記第１受益ＵＥの短距離リンク調整情報を上記第２受益ＵＥの上記無線ベアラ情報に従って構成し、その結果として上記第１受益ＵＥが、上記第１受益ＵＥの上記短距離リンク調整情報に従って、上記短距離リンクのサポートＵＥが上記第２サポートＵＥとなるよう調整するよう適合させられ、
上記構成ユニットはさらに、上記第２受益ＵＥが上記第１サポートＵＥを含む場合、上記第１サポートＵＥのために上記第１サポートＵＥの合成層再構成情報を上記第２受益ＵＥの上記無線ベアラ情報に従って構成し、その結果として上記第１サポートＵＥが、上記第１合成ベアラを削除し、上記第１サポートＵＥの上記合成層再構成情報に従って上記第２サポートＵＥへの短距離リンクを確立するよう適合させられている、項目３３または３４に記載の基地局。
［項目３６］
上記決定ユニットはさらに、上記第２受益ＵＥが上記第１受益ＵＥを含む場合、上記第１受益ＵＥのために上記第１受益ＵＥの合成層再構成情報を上記第２受益ＵＥの上記無線ベアラ情報に従って構成し、その結果として上記第１受益ＵＥが、上記第１受益ＵＥの上記合成層再構成情報に従って上記第１受益ＵＥの上記合成層情報を更新するよう適合させられている、項目３５に記載の基地局。
［項目３７］
上記送受信ユニットはさらに、上記第２サポートＵＥが上記第１アプリケーションを実行していない場合、上記第２サポートＵＥへトリガメッセージを送信するよう適合させられている、項目３５または３６に記載の基地局。
［項目３８］
サポートＵＥであって、
上記サポートＵＥは、基地局により送信された第１サポートＵＥの合成層情報と上記第１サポートＵＥの第１合成ベアラ情報とを受信するよう適合させられた送受信ユニットを備え、
上記第１サポートＵＥの上記合成層情報は、ベアラ識別子と第１合成ベアラとの間のマッピング関係である、上記第１サポートＵＥのために上記基地局により構成された上記マッピング関係を含み、
上記サポートＵＥはさらに、上記第１サポートＵＥの上記合成層情報に従って第１受益ＵＥへの短距離リンクを確立し、上記第１サポートＵＥの上記第１合成ベアラ情報に従って第１合成ベアラを確立するよう適合させられたプロセッシングユニットを備える、サポートＵＥ。
［項目３９］
上記送受信ユニットはさらに、上記短距離リンク上で上記第１受益ＵＥにより送信されたアップリンクデータである、第１ベアラ識別子を伝達する上記アップリンクデータを受信するよう適合させられ、
上記プロセッシングユニットはさらに、上記第１ベアラ識別子と上記第１サポートＵＥの上記合成層情報とに従って上記第１ベアラ識別子に対応する第１合成ベアラを決定するよう適合させられ、
上記送受信ユニットはさらに、上記第１ベアラ識別子に対応する上記第１合成ベアラ上で上記基地局へ上記アップリンクデータを送信するよう適合させられている、項目３８に記載のサポートＵＥ。
［項目４０］
上記送受信ユニットはさらに、上記基地局により送信されたダウンリンクデータである、第２ベアラ識別子を伝達する上記ダウンリンクデータを受信するよう適合させられ、
上記プロセッシングユニットはさらに、上記第２ベアラ識別子と上記第１サポートＵＥの上記合成層情報とに従って上記第２ベアラ識別子に対応する第１合成ベアラを決定するよう適合させられ、
上記送受信ユニットはさらに、上記第２ベアラ識別子に対応する上記第１合成ベアラ、および上記第２ベアラ識別子に対応する上記第１合成ベアラに対応する短距離リンク上で、対応する第１受益ＵＥへ上記ダウンリンクデータを送信するよう適合させられている、項目３８または３９に記載のサポートＵＥ。
［項目４１］
上記プロセッシングユニットはさらに、上記短距離リンクを検出するよう適合させられ、
上記送受信ユニットはさらに、上記短距離リンクの品質指標が第３事前設定値より低いと検出された場合、短距離リンク品質報告を上記基地局へ送信するよう適合させられている、項目３８から４０のいずれか一項に記載のサポートＵＥ。
［項目４２］
上記送受信ユニットはさらに、上記基地局により送信された上記第１サポートＵＥの合成層再構成情報を受信するよう適合させられ、
上記プロセッシングユニットはさらに、上記第１合成ベアラを削除するよう適合させられ、
上記プロセッシングユニットはさらに、上記第１サポートＵＥの上記合成層再構成情報に従って、第２サポートＵＥへの短距離リンクを確立するよう適合させられている、項目３８から４１のいずれか一項に記載のサポートＵＥ。
［項目４３］
上記送受信ユニットはさらに、上記基地局により送信されたトリガメッセージである、上記サポートＵＥにより実行されるアプリケーションである第１アプリケーションを上記基地局により選択された上記サポートＵＥに実行するよう命令するためのメッセージである上記トリガメッセージを受信するよう適合させられている、項目３８から４２のいずれか一項に記載のサポートＵＥ。
［項目４４］
受益ＵＥであって、
上記受益ＵＥは、基地局により送信された第１受益ＵＥの合成層情報を受信するよう適合させられた送受信ユニットを備え、
上記第１受益ＵＥの上記合成層情報は、ベアラ識別子と上記第１受益ＵＥの無線ベアラとの間のマッピング関係である、上記第１受益ＵＥのために上記基地局により構成された上記マッピング関係を含み、
上記受益ＵＥはさらに、上記第１受益ＵＥの上記合成層情報に従って第１サポートＵＥへの短距離リンクを確立するよう適合させられたプロセッシングユニットを備える、受益ＵＥ。
［項目４５］
上記プロセッシングユニットはさらに、少なくとも１つのサポート識別子を取得するよう適合させられ、
上記送受信ユニットはさらに、上記サポートＵＥの少なくとも１つのサポート識別子を伝達する無線リソース制御プロトコル接続ＲＲＣ確立要求メッセージを上記基地局へ送信するよう適合させられている、項目４４に記載の受益ＵＥ。
［項目４６］
上記プロセッシングユニットはさらに、上記第１受益ＵＥの上記合成層情報に従って、アップリンクデータを送信する必要がある無線ベアラに対応する第１ベアラ識別子を決定するよう適合させられ、
上記プロセッシングユニットはさらに、上記第１ベアラ識別子を上記アップリンクデータへ追加するよう適合させられ、
上記送受信ユニットはさらに、上記無線ベアラおよび上記無線ベアラに対応する上記短距離リンク上で、上記アップリンクデータを上記第１サポートＵＥへ送信するよう適合させられている、項目４４または４５に記載の受益ＵＥ。
［項目４７］
上記プロセッシングユニットはさらに、上記短距離リンク上で上記第１サポートＵＥにより送信されたダウンリンクデータである、第２ベアラ識別子を伝達する上記ダウンリンクデータを受信するよう適合させられ、
上記プロセッシングユニットはさらに、上記第２ベアラ識別子と上記第１受益ＵＥの上記合成層情報とに従って上記第２ベアラ識別子に対応する無線ベアラを決定するよう適合させられ、
上記送受信ユニットはさらに、上記第２ベアラ識別子に対応する上記無線ベアラ上で上記ダウンリンクデータを受信するよう適合させられている、項目４４から４６のいずれか一項に記載の受益ＵＥ。
［項目４８］
上記プロセッシングユニットはさらに、上記短距離リンクを検出するよう適合させられ、
上記プロセッシングユニットはさらに、上記短距離リンクの品質指標が第２事前設定値より低いと検出された場合、非同期接続状態から同期接続状態へと変化するよう適合させられ、
上記送受信ユニットはさらに、短距離リンク品質報告を上記基地局へ送信するよう適合させられている、項目４４から４７のいずれか一項に記載の受益ＵＥ。
［項目４９］
上記送受信ユニットはさらに、上記基地局により送信された上記第１受益ＵＥの短距離リンク調整情報を受信するよう適合させられ、
上記プロセッシングユニットはさらに、上記第１受益ＵＥの上記短距離リンク調整情報に従って、上記短距離リンクのサポートＵＥが上記第１サポートＵＥから第２サポートＵＥとなるよう調整するよう適合させられている、項目４４から４８のいずれか一項に記載の受益ＵＥ。
［項目５０］
上記送受信ユニットはさらに、上記基地局により送信された上記第１受益ＵＥの合成層再構成情報を受信するよう適合させられ、
上記プロセッシングユニットはさらに、上記第１受益ＵＥの上記合成層再構成情報に従って、上記第１受益ＵＥの上記合成層情報を更新するよう適合させられている、項目４９に記載の受益ＵＥ。
［項目５１］
基地局と、
受益ＵＥと、
サポートＵＥと
を備え、
上記基地局は、項目２６から３７のいずれか一項に記載の基地局であり、
上記サポートＵＥは、項目３８から４３のいずれか一項に記載のサポートＵＥであり、
上記受益ＵＥは、項目４４から５０のいずれか一項に記載の受益ＵＥである、無線リンク確立システム。
【図１】
0005937766.tif 000002
【図２】
0005937766.tif 000003
【図３】
0005937766.tif 000004
【図４】
0005937766.tif 000005
【図５】
0005937766.tif 000006
【図６】
0005937766.tif 000007
【図７】
0005937766.tif 000008
【図８】
0005937766.tif 000009
【図９】
0005937766.tif 000010
【図１０】
0005937766.tif 000011
【図１１】
0005937766.tif 000012
【図１２】
0005937766.tif 000013
【図１３】
0005937766.tif 000014